(57)【要約】【課題】遊技領域を形成する遊技盤を前面枠に対して着脱可能に配設し、該遊技盤に形成された表示用窓部において遊技に関わる表示ゲームを表示するようにした遊技機において、遊技機裏面に設けられる各機構体を効率よく配設し、表示ユニットの配設領域を十分に確保する。【解決手段】裏機構枠１６０は、表示ユニット１７３を収納する収納部（表示枠ユニット収納部１６８）を有し、上部に遊技球を貯留する貯留タンク２２０と、該貯留タンク２２０の遊技球を排出する排出装置２０１と、を一体的に備えたタンク排出装置２００を配設し、収納部の左右方向一側部に、排出装置２０１からの遊技球を下方に流下させる遊技球流路（シュート２４０）を配設する。これにより、貯留タンク２２０などの各機構体を前面枠１２０の裏面に効率よく配設でき、表示ユニット１７３が大型化した場合の前面枠１２０裏面の配置スペース的な問題を解消できる。【選択図】図１
2007020994.tif 000002
【特許請求の範囲】
【請求項１】
遊技領域を形成する遊技盤を前面枠に対して着脱可能に配設し、該遊技盤に形成された表示用窓部において遊技に関わる表示ゲームを表示するようにした遊技機において、
前記前面枠の裏面側に、前記表示ゲームを表示する表示ユニットを前記遊技盤の後方位置に配設するための裏機構枠を設け、
前記裏機構枠は、
前記表示ユニットを収納する収納部を形成するように後方側に膨出状に構成され、
前記収納部の上部に、島設備から供給される遊技球を貯留する貯留タンクと、該貯留タンクの遊技球を一個宛排出可能な排出装置と、を一体的に備えたタンク排出装置を配設し、
前記収納部の左右方向一側部に、前記排出装置から排出された遊技球を下方に流下させる遊技球流路を配設したことを特徴とする遊技機。
【請求項２】
前記収納部には、前記遊技盤の後方突出量に応じて、前記表示ユニットを前後にスライド可能なスライド手段を備えたことを特徴とする請求項１に記載の遊技機。
【請求項３】
前記スライド手段は、前記裏機構枠の収納空間の側壁に形成されたスライド部と、前記表示ユニットの側部に形成された被スライド部とにより構成され、
前記裏機構枠は、表示部の面積が異なる複数種の表示ユニットを収納可能に構成されて、該複数種の表示ユニットに対応して前記スライド部を複数形成したことを特徴とする請求項２に記載の遊技機。
【請求項４】
前記裏機構枠における前記収納部の後面を形成する背面壁は所定の厚さを有して構成され、
前記背面壁の裏面側の所要部位には、前記表示ユニットを制御する表示制御装置を収納する制御装置収納部を前方側に窪ませて形成する一方、該背面壁の前面側における該制御装置収納部とは前後に重ならない部位には、前記表示ユニットを前方側に付勢する付勢部材を収納する付勢部材収納部を形成したことを特徴とする請求項１から請求項３の何れか一項に記載の遊技機。
【請求項５】
前記遊技盤裏面側下方部には、前記表示ユニットで表示される画像データを記憶した記憶手段を搭載するとともに遊技盤固有の表示データ装置が配設され、
前記裏機構枠は、前記遊技盤裏面における前記表示データ装置が配設される部位を除く該遊技盤裏面側上方部を覆うように配設されるとともに、下部背面側に前記表示ユニットを制御するとともに複数の遊技盤で共通使用可能な表示制御装置を設け、
前記表示制御装置は、コネクタ部を前記裏機構枠の下縁から下方に突出して設けることで、前記表示データ装置のコネクタ部と接続可能に構成されていることを特徴とする請求項１から請求項４の何れか一項に記載の遊技機。
【発明の詳細な説明】
【技術分野】
【０００１】
本発明は、遊技領域を形成する遊技盤を前面枠に対して着脱可能に配設し、該遊技盤に形成された表示用窓部において遊技に関わる表示ゲームを表示するようにした遊技機に関する。
【背景技術】
【０００２】
従来、遊技領域を形成する遊技盤を前面枠（本体枠）に着脱自在に装着するようにした遊技機が知られている。遊技盤には複数の識別情報を変動表示可能な変動表示装置（表示ユニット）が備えられ各機種固有の画像を表示し、また、遊技盤には各機種固有の装飾部材やセル板が設けられている。最近では、前記変動表示装置として液晶表示装置等を設けることが増えている。
そして、遊技機の機種を変更する際には、遊技機全体を交換せずに、遊技盤のみを交換することも可能であるが、従来の遊技機の場合には、遊技盤に変動表示装置が取り付けられていることから、遊技盤の交換の際には比較的高価な変動表示装置も交換することとなっている。
また、変動表示装置を前面枠の裏面に配設して遊技盤と変動表示装置（液晶表示器）を別構成にすることで、遊技盤を交換する際でも、変動表示装置をそのまま前面枠側に残せるようにした遊技機も考えられている（例えば、特許文献１参照）。
【特許文献１】特開２００３−３２００９４号公報
【発明の開示】
【発明が解決しようとする課題】
【０００３】
しかしながら、前面枠の裏面側には、島設備から供給される遊技球を一時的に貯留する貯留タンクや、該貯留タンクからの遊技球を前面枠の一側部に導出する導出樋、導出樋からの遊技球を下方に流下させる遊技球流路、遊技球流路の途中に設けられる排出装置、等が設けられていることから、これらの各機構体とともに変動表示装置を前面枠の裏面に配設することは、スペース的に非常に困難となっている。
【０００４】
本発明の課題は、遊技領域を形成する遊技盤を前面枠に対して着脱可能に配設し、該遊技盤に形成された表示用窓部において遊技に関わる表示ゲームを表示するようにした遊技機において、遊技機裏面に設けられる各機構体を効率よく配設し、表示ユニットの配設領域を十分に確保することである。
【課題を解決するための手段】
【０００５】
以上の課題を解決するため、請求項１に記載の発明は、遊技領域を形成する遊技盤を前面枠に対して着脱可能に配設し、該遊技盤に形成された表示用窓部において遊技に関わる表示ゲームを表示するようにした遊技機において、
前記前面枠の裏面側に、前記表示ゲームを表示する表示ユニットを前記遊技盤の後方位置に配設するための裏機構枠を設け、
前記裏機構枠は、
前記表示ユニットを収納する収納部を形成するように後方側に膨出状に構成され、
前記収納部の上部に、島設備から供給される遊技球を貯留する貯留タンクと、該貯留タンクの遊技球を一個宛排出可能な排出装置と、を一体的に備えたタンク排出装置を配設し、
前記収納部の左右方向一側部に、前記排出装置から排出された遊技球を下方に流下させる遊技球流路を配設したことを特徴とする。
【０００６】
ここで、遊技盤は、木製のものでも合成樹脂製のものでも良い。
【０００７】
請求項１に記載の発明によれば、前面枠の裏面側に、表示ゲームを表示する表示ユニットを遊技盤の後方位置に配設するための裏機構枠を設けたので、表示ユニットが遊技盤ではなく前面枠側に設けられることとなり、遊技盤を交換する場合でも、表示ユニットは交換する必要がないので、表示ユニットを新たな遊技盤でも使用できるといった効果を奏する。また、遊技機の入れ替え時に遊技機全体を交換する場合でも、表示ユニットは遊技盤と別構成であるので、表示ユニットを簡単に取り外せることから、表示ユニットを再利用する際にも効果的である。
【０００８】
また、裏機構枠は、表示ユニットを収納する収納部を有し、その上部に、島設備から供給される遊技球を貯留する貯留タンクと、該貯留タンクの遊技球を排出する排出装置と、を一体的に備えたタンク排出装置を配設し、収納部の左右方向一側部に、排出装置からの遊技球を下方に流下させる遊技球流路を配設したので、貯留タンク、排出装置、遊技球流路とともに表示ユニットを前面枠の裏面に効率よく配設することができ、表示ユニットが大型化した場合でも前面枠裏面の配置スペース的な問題を解消することができる。
特に、排出装置を貯留タンクに一体化することで、排出装置（従来は一側部に配設していたもの）を裏機構枠の上部に配設することが可能となり、裏機構枠の一側部には遊技球流路分の幅のみ確保できればよいので、その分表示ユニットの配置領域を確保することができる。
【０００９】
請求項２に記載の発明は、請求項１に記載の遊技機であって、前記収納部には、前記遊技盤の後方突出量に応じて、前記表示ユニットを前後にスライド可能なスライド手段を備えたことを特徴とする。
【００１０】
ここで、「遊技盤の後方突出量」とは、遊技盤の本体の後方突出量のほか、遊技盤の本体に取り付けられるセンターケース等の後方突出量を含む。
【００１１】
請求項２に記載の発明によれば、収納部には、遊技盤の後方突出量に応じて、表示ユニットを前後にスライド可能なスライド手段を備えたので、交換する遊技盤の種類により、遊技盤の後方突出量は様々に変化することとなるが、その突出量に応じて表示ユニットが前後動することとなるため、遊技盤の交換時に何ら問題なく遊技盤を装着できるし、遊技盤の後方適正位置に表示ユニットを配置することができる。
【００１２】
請求項３に記載の発明は、請求項２に記載の遊技機であって、前記スライド手段は、前記裏機構枠の収納空間の側壁に形成されたスライド部と、前記表示ユニットの側部に形成された被スライド部とにより構成され、
前記裏機構枠は、表示部の面積が異なる複数種の表示ユニットを収納可能に構成されて、該複数種の表示ユニットに対応して前記スライド部を複数形成したことを特徴とする。
【００１３】
請求項３に記載の発明によれば、スライド手段は、裏機構枠の収納空間の側壁に形成されたスライド部と、表示ユニットの側部に形成された被スライド部とにより構成され、裏機構枠は、表示部の面積が異なる複数種の表示ユニットを収納可能に構成されて、該複数種の表示ユニットに対応してスライド部を複数形成したので、用いる遊技盤の表示領域に合わせて表示部の大きさが異なる表示ユニットに交換できる。また、裏機構枠の側部には遊技球流路しか形成されていないので、表示部の面積が大きい（特に左右方向の寸法が大きい）表示ユニットに交換することができる。さらに、表示部の大きさが異なる表示ユニットに交換しても、対応するスライド部が形成されているので前後にスライドさせることができる。
【００１４】
請求項４に記載の発明は、請求項１から請求項３の何れか一項に記載の遊技機であって、前記裏機構枠における前記収納部の後面を形成する背面壁は所定の厚さを有して構成され、
前記背面壁の裏面側の所要部位には、前記表示ユニットを制御する表示制御装置を収納する制御装置収納部を前方側に窪ませて形成する一方、該背面壁の前面側における該制御装置収納部とは前後に重ならない部位には、前記表示ユニットを前方側に付勢する付勢部材を収納する付勢部材収納部を形成したことを特徴とする。
【００１５】
ここで、「背面壁」とは、裏機構枠において収納部の後側を閉塞する部材である。そして、「収納部の後面」とは、背面壁の前面となる部分である。
【００１６】
請求項４に記載の発明によれば、裏機構枠における収納部の後面を形成する背面壁の裏面側の所要部位には、表示ユニットを制御する表示制御装置を収納する制御装置収納部を前方側に窪ませて形成する一方、該背面壁の前面側における該制御装置収納部とは前後に重ならない部位には、表示ユニットを前方側に付勢する付勢部材を収納する付勢部材収納部を形成したので、裏機構枠の背面壁を利用して、制御装置や付勢部材を効率よく収納することができる。
【００１７】
請求項５に記載の発明は、請求項１から請求項４の何れか一項に記載の遊技機であって、前記遊技盤裏面側下方部には、前記表示ユニットで表示される画像データを記憶した記憶手段を搭載するとともに遊技盤固有の表示データ装置が配設され、
前記裏機構枠は、前記遊技盤裏面における前記表示データ装置が配設される部位を除く該遊技盤裏面側上方部を覆うように配設されるとともに、下部背面側に前記表示ユニットを制御するとともに複数の遊技盤で共通使用可能な表示制御装置を設け、
前記表示制御装置は、コネクタ部を前記裏機構枠の下縁から下方に突出して設けることで、前記表示データ装置のコネクタ部と接続可能に構成されていることを特徴とする。
【００１８】
ここで、「表示データ装置」には、遊技盤に設けられた電気機器をドライブするドライブ回路を搭載するようにしても良い。
また、表示制御装置は、裏機構枠に対して（例えば、左右方向に）扉状に回動可能に設けられていても良い。
【００１９】
請求項５に記載の発明によれば、遊技盤裏面側下方部には、表示ユニットで表示される画像データを記憶した記憶手段を搭載するとともに遊技盤固有の表示データ装置が配設され、裏機構枠には、表示ユニットを制御するとともに複数の遊技盤で共通使用可能な表示制御装置を設け、表示制御装置は、表示データ装置のコネクタ部と接続可能に構成されているので、遊技盤を交換する場合でも、表示ユニットと同様に表示制御装置も新たな遊技盤に対して共通使用可能となり効率がよい。
また、遊技機固有の画像データを記憶した表示データ装置を遊技盤に配設したことで、遊技盤の交換と共に簡単にデータの交換も行えるので、作業効率が向上する。
さらに、裏機構枠は、遊技盤裏面における表示データ装置が配設される部位を除く該遊技盤裏面側上方部を覆うように配設されるとともに、表示制御装置は、コネクタ部を裏機構枠の下縁から下方に突出して設けることで、表示データ装置のコネクタ部と接続可能に構成されているので、表示制御装置と表示データ装置との接続も簡単に行うことが可能となり、作業効率が向上する。
【発明の効果】
【００２０】
本発明によれば、前面枠の裏面側に、表示ゲームを表示する表示ユニットを遊技盤の後方位置に配設するための裏機構枠を設けたので、表示ユニットが遊技盤ではなく前面枠側に設けられることとなり、表示ユニットを新たな遊技盤でも使用できる。
また、遊技機の入れ替え時に遊技機全体を交換する場合でも、表示ユニットは遊技盤と別構成であるので、簡単に表示ユニットを再利用できる。
また、裏機構枠は、表示ユニットを収納する収納部を有し、その上部に、島設備から供給される遊技球を貯留する貯留タンクと、該貯留タンクの遊技球を排出する排出装置と、を一体的に備えたタンク排出装置を配設し、収納部の左右方向一側部に、排出装置からの遊技球を下方に流下させる遊技球流路を配設したので、貯留タンク、排出装置、遊技球流路とともに表示ユニットを前面枠の裏面に効率よく配設することができ、表示ユニットが大型化した場合でも前面枠裏面の配置スペース的な問題を解消することができる。
特に、排出装置を貯留タンクに一体化することで、排出装置（従来は一側部に配設していたもの）を裏機構枠の上部に配設することが可能となり、その分表示ユニットの配置領域を確保することができる。
【発明を実施するための最良の形態】
【００２１】
以下、この発明の実施形態について図面を参照して説明する。
ここでは、本発明にかかる遊技機の適例としてのパチンコ遊技機について図１から図１４を用いて説明を行う。
【００２２】
図１に示すように、本実施形態の遊技機１００は、矩形枠状に構成された機枠１１０を備え、この機枠１１０の一側方には、該機枠１１０に対し回動可能に矩形枠状の前面枠１２０が軸支されている。なお、図１は機枠１１０を有する遊技機１００全体の背面側を示し、図２は機枠１１０から取り外された前面枠１２０を示す。
また、前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、前面枠本体１３０の裏面側に回動可能に軸支され、表示枠ユニット１７０を備える裏機構枠１６０とを有する。
【００２３】
前面枠本体１３０は、矩形枠状の機枠１１０の前面側をちょうど覆うような概略矩形板状に構成されるとともに、その中央から上端部に渡る部分に後述する遊技盤１を嵌め込んで収容するための方形状の開口部が形成されている。そして、前面枠本体１３０に収容された遊技盤１の前面が前面枠本体１３０の開口部から前側に臨むようになっている。すなわち遊技盤１は、前面枠本体１３０に嵌め込まれることで前面枠１２０に取り付けられている。
【００２４】
また、前面枠本体１３０の遊技盤１が嵌め込まれた開口部、すなわち、前面枠本体１３０の中央より少し下側から上端部にわたる部分には、前面枠本体１３０の前側を覆うように前記クリア部材保持枠１４０が配置されており、遊技盤１の前面と前記クリア部材保持枠１４０に嵌め込まれたクリア部材としてのガラス板との間で、遊技盤１の前面に設けられたガイドレール（図示略）に囲まれた部分が、遊技球が発射されて流下する遊技領域（図示略）とされている。
【００２５】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の遊技領域の前側を開放可能となっている。
クリア部材保持枠１４０には、前面枠本体１３０の開口部をほぼ閉塞するように、該開口部に嵌め込まれた遊技盤１との間に遊技球が流下可能な遊技領域となる間隔を開けて二重のガラス板が固定されている。そして、クリア部材保持枠１４０において、遊技機１００の前側からガラス板を介して遊技盤１の前面側の少なくとも遊技領域の部分が視認可能となっている。また、クリア部材保持枠１４０の前面であって、ガラス板が固定されて遊技領域を視認可能とする部分の周囲には、枠装飾装置５７（図１３に図示）としてのランプやＬＥＤなどが設けられている。
【００２６】
また、前面枠本体１３０の前面側のクリア部材保持枠１４０の下側には、発射操作ユニット１５０が取り付けられている。
発射操作ユニット１５０は、左右側部のうちの一側部となる左側部を前面枠本体１３０に軸着されて、左右方向に回動して開閉自在な開閉パネルとその下の下部パネルとからなる。開閉パネルは、排出された遊技球を貯留するとともに、遊技球を発射する発射装置６０（図１３に図示）に遊技球を送る上皿を有している。この上皿の周囲には、遊技者が操作可能な演出用ボタン５９（図１３に図示）が設けられている。また、開閉パネルの下側の下部パネルには、上皿に収容しきれない遊技球を収容する下皿及び灰皿と、遊技領域に向けての遊技球の発射操作を行うとともに、該遊技領域に遊技球を発射する際の発射勢を調節するための操作ハンドル１５１、音声を出力するスピーカ５８（図１３に図示）などが設けられている。
【００２７】
また、前面枠本体１３０の裏面側であって、遊技盤１が嵌め込まれた開口部の上端部から中央より少し下側にわたる部分には、前面枠本体１３０の裏面側を覆うように裏機構枠１６０が配置されている。
図２に示すように、裏機構枠１６０の前面の左側の端部は、前面枠本体１３０の裏面であって遊技機１００の裏面側から見て右側の側部に回動可能に軸支されて扉状に開閉自在とされ、裏機構枠１６０を開くことにより、遊技盤１の裏面側の上部を開放可能となっている。
【００２８】
その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００２９】
図２，３に示すように、前面枠本体１３０の開口部に嵌め込まれる遊技盤１は、木製の遊技盤本体１０の図示しない前面に、略円形に配されたガイドレールで囲まれた遊技領域を有し、この遊技領域内に遊技球（打球；遊技媒体）を発射して遊技を行うようになっている。
遊技領域内には、図示しないが、普図始動ゲート、この普図始動ゲートを遊技球が通過して普図変動表示ゲームが未処理となっている未処理回数を表示する普図始動記憶表示器、普通図柄の変動表示ゲームを表示する普図変動表示器が設けられている。また、普通変動入賞装置と、この普通変動入賞装置に遊技球が入賞して特図変動表示ゲームが未処理となっている未処理回数を点灯表示する特図始動記憶表示器、特別図柄（特図、識別情報）の変動表示ゲームの表示領域となる表示用窓部１２を形成するセンターケース１１（裏面側を図２に図示）、特別変動入賞装置、遊技盤装飾装置５４（図１３に図示）、一般入賞口、風車と呼ばれる打球方向変換部材、多数の障害釘などが設けられている。
【００３０】
普図始動ゲート内には、該普図始動ゲートを通過した遊技球を検出するためのゲートセンサが設けられている。そして、遊技領域内に打ち込まれた遊技球が、普図始動ゲート内を通過すると、図示しない普図変動表示器において普図の変動表示ゲームが行われる。ここで、普図変動表示器は、例えば、ＬＥＤなどによって構成され、普通図柄（例えば、数字、記号、キャラクタ図柄など）の変動表示ゲームは、普図変動表示器の点灯状態を所定時間変動表示させた後、停止表示させることにより行うようになっている。なお、特図の変動表示ゲームの表示領域の一部で普図変動表示ゲームを表示するようにしても良い。この普図の変動表示ゲームの結果、普図変動表示器における停止表示が特別の結果態様となれば、普図の当たりとなって、普通変動入賞装置の開閉部材が所定時間（例えば、０.５秒間）後述のように開放される。これにより、普通変動入賞装置に遊技球が入賞しやすくなり、特図の変動表示ゲームの始動が容易となる。
【００３１】
普通変動入賞装置は左右一対の開閉部材を具備し、この開閉部材は、常時は遊技球が１個流入可能な程度の間隔で閉じた状態（遊技者にとって不利な状態）を保持しているが、普図変動表示器の普図変動表示ゲームの結果が所定の停止表示態様（例えば、「７」）となった場合には、逆「ハ」の字状に開いて普通変動入賞装置に遊技球が流入し易い状態（遊技者にとって有利な状態）に変化されるようになっている。
この普通変動入賞装置は、特図の始動入賞口も兼ねている。すなわち、普通変動入賞装置の内部（入賞領域）に備えられた始動口センサ５０（図１３に図示）により遊技球を検出することに基づき始動条件が成立し、特図の変動表示ゲームが開始されるようになっている。
【００３２】
図２，３に示すように、遊技盤１（遊技領域）の略中央部には、特図の変動表示ゲームの表示領域となる表示用窓部１２を形成するセンターケース１１が取り付けられている。
センターケース１１は、断面が複雑な曲線となった筒状の部材であって、筒状の空間が延在する方向が遊技盤１の前後方向に沿うように、遊技盤本体１０の略中央部に形成された開口部１４に挿入された状態で取り付けられている。なお、開口部１４は、断面が複雑な曲線となったセンターケース１１の断面形状に合わせて形成されている。
【００３３】
センターケース１１の前端面には装飾が施されているとともに、遊技盤装飾装置５４としての盤装飾ランプが設けられている。また、センターケース１１の内周面のうち下側となる部分は、遊技球が転動可能なステージとなっている。センターケース１１の後部は、遊技盤本体１０の裏面よりも後方に突出しており、その後端部１６には、後述する裏機構枠１６０に取り付けられた表示枠ユニット１７０の前面が接するように配される。これによって、筒状のセンターケース１１の開口部である表示用窓部１２を介して、表示枠ユニット１７０の画像表示面１７１（図１１に図示）の表示を遊技盤１の前面側から見ることができるようになっている。なお、後述するように画像表示面１７１の面積は表示用窓部１２の面積よりも十分広くなっており、画像表示面１７１上の表示は表示用窓部１２が配された領域のみで行われるように制御されている。
【００３４】
そして、遊技領域内に打ち込まれた遊技球が特図の始動口を兼ねる普通変動入賞装置へ進入して始動条件が成立することに基づき、画像表示面１７１にて複数種類の識別情報（例えば、数字、記号、キャラクタ図柄など）を変動表示させる特別図柄の変動表示ゲームを実行可能となっている。なお、特図の変動表示ゲームは、画像表示面１７１において、複数種類の識別情報を所定時間変動表示させることにより行う。
そして、この特図の変動表示ゲームの結果として、画像表示面１７１の表示態様が特別結果態様（例えば、「７，７，７」等のゾロ目数字の何れか）となった場合には、大当たりとなって特別遊技状態（いわゆる、大当たり状態）となる。
【００３５】
特別変動入賞装置は、上端側が手前側に倒れる方向に回動して開放可能になっているアタッカ形式の開閉扉によって開閉される大入賞口を備えていて、特別遊技状態中は、大入賞口を閉じた状態から開いた状態に変換することにより大入賞口内への遊技球の流入を容易にさせる。なお、開閉扉は、ソレノイド（大入賞口ＳＯＬ５３、図１３に図示）により駆動される。また、大入賞口の内部（入賞領域）には、該大入賞口に入った遊技球を検出するための大入賞口用センサ（カウントセンサ５１、図１３に図示）が配設されている。
【００３６】
また、遊技領域に設けられた各一般入賞口には、一般入賞口に入った遊技球を検出するための一般入賞口センサ５２（図１３に図示）が配設されている。そして、遊技を開始することにより遊技領域内に打ち込まれた遊技球が、一般入賞口、始動入賞口（普通変動入賞装置）、大入賞口（特別変動入賞装置）等の入賞口の何れかに入賞すると、それぞれの入賞口に対応した所定数の賞球としての遊技球が後述の排出発射制御装置３４（排出発射制御基板）の制御により排出装置２０１によって上皿に排出される（払い出される）ようになっている。
【００３７】
図２，３に示すように、遊技盤１の裏面側であって、遊技盤１の前面側から見てセンターケース１１の左側及び上側には第１の位置調整部材１３８、第２の位置調整部材１３７が設けられている。このセンターケース１１の左側（上側）にある第１の位置調整部材１３８（第２の位置調整部材１３７）は、後述するように、表示枠ユニット１７０の前面側から見て左側（上側）に設けられた第１の被位置調整部２１（第２の被位置調整部２０）の左右位置（上下位置）に対応して設けられている。
【００３８】
センターケース１１の左側にある第１の位置調整部材１３８は、遊技盤本体１０の裏面から後方に延出して設けられるとともに、その後端面が、センターケース１１側から遊技盤本体１０の側面側に向かって前側に傾斜した傾斜面１３８ａとなっている。また、後端面のセンターケース１１側の端部には、その端部に沿って板状のリブ１３８ｂが後方側に突出するように設けられている。なお、傾斜面１３８ａの前面側から見て右側の端部（センターケース１１側の端部）の前後位置は、センターケース１１の後端部１６とほぼ同じ前後位置となっている。また、リブ１３８ｂの前後幅は、後述する第１の被位置調整部２１の前面側から見て右側の側面における前後幅以下となっている。
【００３９】
センターケース１１の上側にある第２の位置調整部材１３７は、遊技盤本体１０の裏面から後方に延出して設けられるとともに、後端面に誘導ガイド部１３７ａが形成されている。誘導ガイド部１３７ａは、断面Ｖ字状で左右に延在する溝状となっているとともに、上下の中央部にさらに溝状で断面半円状の係合固定部１３７ｂが形成されている。すなわち、係合固定部１３７ｂは、Ｖ字状の溝の谷底となる位置にあって、第２の位置調整部材１３７の後端面で最も前側の位置となるように形成されている。なお、係合固定部１３７ｂの前後位置は、センターケース１１の後端部１６とほぼ同じ前後位置となっている。
【００４０】
また、遊技盤本体１０の裏面であって、第１の位置調整部材１３８、第２の位置調整部材１３７が取り付けられる部分には、図示しない凹部とねじ止め部が形成されている。なお、この凹部が形成される位置は、遊技盤本体１０に形成された開口部１４に挿入されたセンターケース１１に形成された表示用窓部１２の位置を基準としている。そして、第１の位置調整部材１３８、第２の位置調整部材１３７の遊技盤本体１０の裏面に接する面には、遊技盤本体１０の裏面に形成された凹部にちょうど嵌る図示しない凸部が形成されているとともに、ねじ孔１３７ｃ，１３７ｃ，１３８ｃ，１３８ｃが形成されている。第１の位置調整部材１３８、第２の位置調整部材１３７を遊技盤本体１０の裏面に取り付ける際には、第１の位置調整部材１３８、第２の位置調整部材１３７の凸部が遊技盤本体１０に形成された凹部に嵌るように配し、さらに、第１の位置調整部材１３８、第２の位置調整部材１３７に形成されたねじ孔１３７ｃ，１３７ｃ，１３８ｃ，１３８ｃにねじを挿通し、遊技盤本体１０に形成されたねじ止め部に螺合することで、第１の位置調整部材１３８、第２の位置調整部材１３７が適正位置に取り付けられるようになる。
【００４１】
この第１の位置調整部材１３８が第１の被位置調整部２１の左右位置を調整し、第２の位置調整部材１３７が第２の被位置調整部２０の上下位置を調整することで、表示枠ユニット１７０に備えられた表示ユニット１７３の上下左右位置を調整するようになっている。なお、表示ユニット１７３の位置調整については後に詳しく説明する。
【００４２】
遊技盤１の裏面側であって、センターケース１１の下側には、普通変動入賞装置、大入賞口、一般入賞口などに入賞した遊技球を流下させる入賞球流路や、中継基板などを備えた裏面構成部材４０が取り付けられている。
また、この裏面構成部材４０には、その裏面側に演出データ装置３２を取り付けるためのボス等が形成されており、演出データ装置３２などを遊技盤１の裏面に取り付けるためのベースとしての機能も有する。
【００４３】
また、図１から３および１３に示すように、遊技機１００は、その制御系として遊技の進行を制御する遊技制御装置３０（主制御基板、主制御回路）、この遊技制御装置３０の制御下で各種の演出に関する制御を行う演出データ装置３２（演出ＲＯＭ基板、第１制御回路）、演出制御装置３３（演出制御基板、第２制御回路）、排出装置２０１による賞球または貸球の払い出しの制御と、発射装置６０による遊技球の発射の制御を行う排出発射制御装置３４（排出発射制御基板、排出発射制御回路）、電力を供給する電源供給装置３７（電源基板、電源回路）を備えている。
【００４４】
遊技制御装置３０は、図１３に示すようにＣＰＵ３０ｂ、ＲＡＭ３０ｃ、ＲＯＭ３０ｄ等を有する遊技用マイクロコンピュータを備えるとともに、図示しない入出力インタフェース、各種処理の同期やタイマ等のためのパルス信号を出力するクロック（発振器）等により構成されている。
ＣＰＵ３０ｂは、制御部、演算部を備え、演算制御を行う他、特図変動表示ゲームの大当たり判定用乱数値などの各種乱数値なども生成している。
ＲＡＭ３０ｃは、普通変動入賞装置内に設けられた始動口センサ５０のオン信号などを記憶する記憶領域や、前記各種乱数値の記憶領域、並びに、ＣＰＵ３０ｂの作業領域等を備えている。
ＲＯＭ３０ｄには、遊技上の制御プログラムや制御データが書き込まれている他、上述の各種乱数値に対応して、特図の変動表示ゲームの大当り発生を判定するための、特図の変動表示ゲームの大当り判定値、変動パターン（リーチアクションの種類）の判定値などが記憶されている。
【００４５】
また、入出力インタフェースには、ローパスフィルタ及びバッファーゲートを介して、普通変動入賞装置の始動口センサ５０、大入賞口のカウントセンサ５１、一般入賞口の一般入賞口センサ５２などが接続されており、これらからの各種信号が入力され、これら各種信号は、該入出力インタフェースにより中継されて、ＣＰＵ３０ｂに対し出力される。
さらに、入出力インタフェースには、ＣＰＵ３０ｂから出力される各種の制御信号が入力され、これら制御信号は、該入出力インタフェースにより中継されて、図示しない出力ポート及びドライバを介して、普通変動入賞装置や特別変動入賞装置の駆動手段としての各種開閉ソレノイド（例えば、大入賞口ＳＯＬ５３）、演出制御装置３３、賞球の排出や遊技球の発射を制御する排出発射制御装置３４などに出力されている。
【００４６】
演出データ装置３２は、演出の制御内容を記憶した制御ＲＯＭ３２ｃ、画像や映像データが記憶されたキャラクタＲＯＭ３２ｂ、音データが記憶された音声データＲＯＭ３２ｄを備えている。なお、この演出データ装置３２に備えられた各種ＲＯＭの記憶内容は、遊技機の機種に依存するものである。
また、演出データ装置３２は、遊技制御装置３０から出力される制御信号（各種コマンドなど）を中継して演出制御装置３３に送信するようになっている。なお、遊技制御装置３０と演出制御装置３３との間の通信において、演出データ装置３２は単に信号を通過させるのみ（スルー接続）となっている。
さらに、演出データ装置３２は、盤装飾ランプ・ＬＥＤ、装飾用役物（ソレノイド）などの遊技盤装飾装置５４を駆動する盤装飾ドライバ３２ｅを備えており、演出制御装置３３が遊技制御装置３０から受信した制御信号（演出コマンド）に基づいて（遊技制御装置３０の制御の下に）この盤装飾ドライバ３２ｅを制御し、盤装飾を行うようになっている。
【００４７】
また、この演出データ装置３２と直接接続された演出制御装置３３は、制御装置としてのＣＰＵ３３ｂ、ＲＡＭ３３ｃや、表示ユニット１７３（液晶表示パネル１７５）における表示を制御する画像用メモリとしてのＲＡＭや、グラフィックプロセッサとしてのＶＤＰ３３ｄ（video display processor）、画像や映像データが記憶された画像ＲＯＭ（サブ）３３ｅなどを含むビデオ回路、音の出力を制御する音声ＬＳＩ３３ｆ、音量を調節する音声ボリューム３３ｇを備えている。
また、前面枠に設けられたランプ、ＬＥＤなどの前面枠を装飾する枠装飾装置５７を駆動する枠装飾ドライバ３３ｈを備えている。さらに、表示ユニット１７３の液晶表示パネル１７５における表示状態を調節するための、輝度調節器３３ｉ、コントラスト調節器３３ｊ、表示位置調節器３３ｋが備えられている。
【００４８】
演出制御装置３３は図示しない入出力インタフェースを有し、この入出力インタフェースにはローパスフィルタ及びバッファーゲートを介して、遊技制御装置３０、演出データ装置３２、遊技機の前面（例えば、上皿の周囲）に設けられた遊技者が操作可能な演出用ボタン５９などが接続されており、これらからの各種信号が入力され、これら各種信号は、該入出力インタフェースにより中継されて、ＣＰＵ３３ｂに対し出力される。
さらに、入出力インタフェースには、ＣＰＵ３３ｂから出力される各種の制御信号が入力され、これら制御信号は、該入出力インタフェースにより中継されて、図示しない出力ポート及びドライバを介して、演出データ装置３２、液晶表示パネル１７５のバックライト５６、枠装飾装置５７（枠装飾ドライバ３３ｈを介して）などに出力されている。なお、ＣＰＵ３３ｂから出力される制御信号のうち、画像の制御に関する制御信号は、ＣＰＵ３３ｂからＶＤＰ３３ｄに出力され、ＶＤＰ３３ｄから該制御信号に基づく画像データが液晶表示器５５に出力される。また、音声の制御に関する制御信号は、ＣＰＵ３３ｂから音声ＬＳＩ３３ｆに出力され、音声ＬＳＩ３３ｆから該制御信号に基づく音声データがスピーカ５８に出力される。
【００４９】
そして、演出制御装置３３は、遊技制御装置３０から演出データ装置３２を介して受信した制御信号（演出コマンド）に基づいて（遊技制御装置３０の制御の下に）、枠装飾装置５７による枠装飾の制御、液晶表示パネル１７５（液晶表示器５５、バックライト５６）の制御、スピーカ５８による音の出力の制御を行う。さらに、遊技制御装置３０から演出データ装置３２を介して受信した制御信号（演出コマンド）に基づいて（遊技制御装置３０の制御の下に）演出データ装置３２に備えられた盤装飾ドライバ３２ｅを介して遊技盤装飾装置５４の制御を行う。
【００５０】
排出発射制御装置３４は、ＣＰＵ、ＲＡＭ、ＲＯＭ等を有するマイクロコンピュータを有し、遊技制御装置３０からの制御信号（賞球コマンド）や、球貸機（図示略）からの制御信号（球貸しコマンド）に基づいて所要数の遊技球（賞球、貸球）を排出装置２０１から排出させる制御を行う。また、発射装置６０による遊技球の発射制御を行う。
そして、上述の各制御基板や、遊技機１００に備えられた各装置には、電源供給装置３７（電源回路、電源基板）から電力が供給されるようになっている。なお、演出データ装置３２への電源供給は演出制御装置３３を介して行われるようになっている。
【００５１】
これらの制御回路においては、例えば以下のような制御が行われる。
遊技制御装置３０のＣＰＵ３０ｂでは、普通変動入賞装置に備えられた始動口センサ５０からの遊技球の検出信号の入力に基づき、特図の大当たり判定用乱数値を抽出してＲＯＭ３０ｄに記憶されている判定値と比較し、特図の変動表示ゲームの当たり外れを判定する処理を行う。また、この他に変動パターンの判定を行う処理などを行い、これらの結果を含む制御信号を、演出データ装置３２を介して演出制御装置３３に出力する。演出制御装置３３とこれに接続した演出データ装置３２では、遊技制御装置３０からの制御信号に基づき、表示ユニット１７３の液晶表示パネル１７５で特図の変動表示ゲームを表示する処理や、スピーカ５８からの音の出力、ランプ、ＬＥＤ、装飾用役物などの遊技盤装飾装置５４を制御する処理、ランプ、ＬＥＤなどの枠装飾装置５７を制御する処理を行う。そして、遊技制御装置３０のＣＰＵ３０ｂは、特図の変動表示ゲームが大当たりであった場合に、特別遊技状態を発生し、大入賞口ＳＯＬ５３により特別変動入賞装置を動作する制御を行う。
【００５２】
また、遊技制御装置３０のＣＰＵ３０ｂは、普図始動ゲートに設けられたゲートセンサからの遊技球の検出信号の入力に基づき、上述と同様に普図の変動表示ゲームの当たり外れを判定するとともに演出データ装置３２を介して演出制御装置３３に制御信号を出力し、普図変動表示器に普図変動表示ゲームを表示させる。そして、遊技制御装置３０のＣＰＵ３０ｂは、普図の変動表示ゲームが当たりであった場合に、普通変動入賞装置を動作する制御を行う。
【００５３】
また、遊技制御装置３０のＣＰＵ３０ｂは、各種入賞口に設けられたセンサ（始動口センサ５０、カウントセンサ５１、一般入賞口センサ５２）から入力される遊技球の検出信号に基づき排出発射制御装置３４に制御信号を出力する。排出発射制御装置３４は、制御信号の入力に基づき排出装置２０１を制御して所定数の遊技球が払い出されるようにする。また、排出発射制御装置３４は、操作ハンドル１５１の操作に基づく入力および操作ハンドル１５１に設けられた図示しないタッチセンサからの入力に基づき、発射装置６０を制御して遊技球が遊技領域に発射されるようにする。
すなわち、以上のことから主制御回路をなす遊技制御装置３０は、遊技の進行を制御する遊技制御装置をなし、第１制御回路をなす演出データ装置３２と第２制御回路をなす演出制御装置３３とが遊技機１００における種々の演出を制御する演出制御装置をなす。
【００５４】
そして、これらの各基板は以下のように遊技機に取り付けられている。
図２，３に示すように、画像表示面１７１における表示データなど、機種に依存するデータが記憶された演出データ装置３２は、ボックス３２ａに収納された状態で、遊技盤１の裏面側下方部に設けられた裏面構成部材４０の裏面側であって、後述する裏機構枠１６０の下縁からその下側に取り付けられている。このボックス３２ａの裏面側には、演出制御装置３３と接続するためのコネクタ部３２ｆ、遊技制御装置３０と接続するため（遊技制御装置３０と演出制御装置３３との間の中継のため）のコネクタ部３２ｇ、遊技盤装飾装置５４と接続するためのコネクタ部３２ｈが設けられている。さらに、ボックス３２ａの裏面側には、ボックス３０ａに収納された遊技を制御する遊技制御装置３０が取り付けられるようになっている。すなわち、ボックス３２ａの裏面は遊技制御装置３０を取り付けるための台座をなす。また、ボックス３２ａに隣設して、遊技機外部の装置（管理装置）と接続するための盤用外部出力端子２０６が設けられている。
【００５５】
また、図６に示すように、複数の機種で共通使用可能な演出制御装置３３は、ボックス３３ａに収納された状態で前面枠本体１３０の裏面側に取り付けられた後述の裏機構枠１６０に取り付けられている。なお、ボックス３３ａの前側の下部には、コネクタ部３３ｍが、裏機構枠１６０の下縁から下方に突出するように設けられ、演出データ装置３２のコネクタ部３２ｆと接続することが可能となっており、これによって両者が直接接続されるようになっている。
【００５６】
また、排出装置２０１による賞球の排出、発射装置６０による遊技球の発射を制御する排出発射制御装置３４、遊技機１００内の各装置に電力を供給する電源回路としての電源供給装置３７は、それぞれボックス３４ａ、３７ａに収納された状態で、前面枠本体１３０の裏面側の遊技盤１より下側となる位置に取り付けられている。
【００５７】
すなわち、機種に依存する演出データ装置３２、遊技制御装置３０は遊技盤１に取り付けられ、複数の機種で共通使用可能な演出制御装置３３や排出発射制御装置３４、電源供給装置３７は前面枠本体１３０もしくは裏機構枠１６０に取り付けられている。よって、遊技盤１を変更することにより機種に依存する装置（基板）のみが交換され、遊技機１００の遊技内容を変更することが可能である。
【００５８】
図１，２，４から８に示すように、裏機構枠１６０は、本体部１６１と、画像を表示する表示ユニット１７３を備える表示枠ユニット１７０を支持、案内するためのガイド部１６２とを有し、表示枠ユニット１７０の他、表示枠ユニット１７０を制御する演出制御装置３３、賞球などを排出する排出装置２０１と排出装置２０１に遊技球を供給する貯留タンク２２０を一体的に備えたタンク排出装置２００、シュート２４０が取り付けられている。
【００５９】
上述したように、裏機構枠１６０の前から見て左側の端部は、前面枠本体１３０の裏面であって遊技機１００の裏面側から見て右側の側部に回動可能に軸支されており、図１に示すように、前面枠本体１３０に形成されて遊技盤１が嵌め込まれる開口部の上側略半分を裏面側から覆って遊技盤１の裏面に臨む状態から、図２に示すように、後方に扉状に回動して遊技盤１の裏面側を開放する状態との間で回動可能となっている。すなわち、裏機構枠１６０に表示ユニット１７３が配設されることで、表示ユニット１７３は該裏機構枠１６０を介して前面枠１２０側に配設された状態で遊技盤１の後方位置に配設されることとなる。なお、裏機構枠１６０が、遊技盤１が嵌め込まれる開口部の上側略半分を裏面側から覆った状態においては、遊技盤裏面における演出データ装置３２が配設される部位を除く遊技盤裏面側の上方部を覆うようになっている。
【００６０】
図５に示すように、本体部１６１は、所定の厚みを有する背面壁２６３と、背面壁２６３の下側を除く周囲に前方に延出するように形成された周囲壁１６７とを有し、これら背面壁２６３と周囲壁１６７とから、裏機構枠１６０が遊技盤１の裏面に臨む状態において、前面側（遊技盤１の裏面に臨む側）に開口する矩形箱状の凹部である表示枠ユニット配設部１６３が形成されている。
【００６１】
さらに、背面壁２６３の左右に位置する周囲壁１６７の前側には、それぞれガイド部１６２が、左右の周囲壁１６７を前側に延長するように取り付けられている。そして、ガイド部１６２を本体部１６１に取り付けた状態では、図４，５に示すように、ガイド部１６２の内周面が周囲壁１６７の内周面のうちの主に左右の内周面と略同一面を形成するようになっており、ガイド部１６２によって周囲壁１６７の内周面の一部が前側に延出された状態となっている。この背面壁２６３と周囲壁１６７およびガイド部１６２で形成される、所定の奥行きを有するとともに前側に開口した矩形凹室形状の空間（少なくとも背面と左右側面とを囲まれた空間）が、表示枠ユニット１７０を収納する表示枠ユニット収納部１６８となる。すなわち裏機構枠１６０は、前面側に凹室形状の表示枠ユニット収納部１６８を形成するように、後方側に膨出状に構成されている。
また、裏機構枠１６０の前面側から見て左側に設けられたガイド部１６２には、軸受け部１６２ａが形成されており、前面枠本体１３０の裏面側に設けられた上下方向に延在する回動軸１３１を軸受け部１６２ａに回動可能に嵌合することで、裏機構枠１６０が前面枠本体１３０に対して回動可能に軸支されるようになっている。
【００６２】
裏機構枠１６０の上部には、外部から供給される遊技球を貯留する貯留タンク２２０と、該貯留タンク２２０と一体的に設けられ、該貯留タンク２２０に貯留されている遊技球を下流側に排出可能な排出装置２０１とを有するタンク排出装置２００が設けられている。
【００６３】
図７に示すように、貯留タンク２２０は、上面側が開放した概略長方形状の箱体であって、外部（島設備の補球装置）から供給される遊技球を貯留するものである。
この貯留タンク２２０の一側方であって、裏機構枠１６０が前面枠本体１３０に軸着される側には、排出装置２０１が一体的に設けられており、貯留タンク２２０の底壁２２１は、排出装置２０１が設けられた側に向かって下るように傾斜している。
【００６４】
排出装置２０１は、筐体となる筒体部２０２の内部空間に、図示しないスプロケットが回動可能に設けられ、上部に設けられたステッピングモータ２０３によってスプロケットを回動させることで、筒体部２０２の底面に設けられた図示しない排出口から遊技球を一個宛排出できるように構成されている。また排出口は、賞球もしくは貸球としての遊技球を排出する排出用導出口と、貯留タンク２２０から遊技球を抜き取る際に使用する球抜き用導出口とが設けられており、スプロケットの回動方向によって遊技球を排出する排出口を選択できるようになっている。そして、排出装置２０１は、（遊技制御装置３０の制御の下で）排出発射制御装置３４によってステッピングモータ２０３の回動方向、回動角度が制御され、排出用導出口から賞球もしくは貸球として所定数の遊技球を排出することや、球抜き導出口から貯留タンク２２０内の遊技球を遊技機外部（島設備の回収樋）に排出することができるようになっている。
【００６５】
排出装置２０１から排出された遊技球は、図８に示すように、表示枠ユニット収納部１６８の前面側から見て左側の側部に設けられた遊技球流路をなすシュート２４０を流下する。シュート２４０は、２つの遊技球の流路を形成する２つの溝を備えた流路構成部材２４１と、流路構成部材２４１の溝状の流路の蓋となる流路カバー２４２とを備える。そして、これらによって、賞球もしくは貸球として排出用導出口から排出された遊技球が流下する排出流路２４３と、球抜きのために球抜き用導出口から排出された遊技球が流下する球抜き流路２４４が形成されている。排出流路２４３はその下流側端部で遊技球を上皿に誘導する流路に連結しており、排出装置２０１から賞球または貸球として排出された遊技球が上皿に流入するようになっている。また、球抜き流路２４４はその下流側端部で遊技球を遊技機外部に誘導する流路に連結しており、排出装置２０１によって貯留タンク２２０から抜き取られた遊技球が遊技機外部に排出されるようになっている。
【００６６】
このように、貯留タンク２２０と排出装置２０１が一体となったタンク排出装置２００を裏機構枠１６０の上部に、遊技球流路となるシュート２４０を裏機構枠１６０の側部に配設したことにより、これらが前面枠１２０の裏面側に効率よく配設されることとなり、表示ユニット１７３の配設領域を十分に確保することができる。
【００６７】
以上のことから、遊技領域を形成する遊技盤１を前面枠１２０に対して着脱可能に配設し、該遊技盤１に形成された表示用窓部１２において遊技に関わる表示ゲームを表示するようにした遊技機１００において、前面枠１２０の裏面側に、表示ゲームを表示する表示ユニット１７３を遊技盤１の後方位置に配設するための裏機構枠１６０を設け、裏機構枠１６０は、表示ユニット１７３を収納する収納部（表示枠ユニット収納部１６８）を形成するように後方側に膨出状に構成され、収納部の上部に、島設備から供給される遊技球を貯留する貯留タンク２２０と、該貯留タンク２２０の遊技球を一個宛排出可能な排出装置２０１と、を一体的に備えたタンク排出装置２００を配設し、収納部の左右方向一側部に、排出装置２０１から排出された遊技球を下方に流下させる遊技球流路（シュート２４０）を配設したこととなる。
【００６８】
図６，７に示すように、裏機構枠１６０の裏面となる背面壁２６３の裏面の下部には、前方に窪んで後方に開口した略矩形状の凹部である演出制御装置配設部１６５が形成され、演出制御装置３３を収容したボックス３３ａが配設されている。
演出制御装置配設部１６５の裏面側から見て右側の内側面には、本体部１６１の上下方向に沿って延在する回動軸２６４が設けられており、この回動軸２６４によってボックス３３ａに形成された軸受け部２６９が軸支されることで、演出制御装置３３を収納したボックス３３ａが演出制御装置配設部１６５に対して扉状に開閉可能に支持されている。なお、ボックス３３ａは、図１に示すように、演出制御装置配設部１６５に収容された状態から、図６に示すように、本体部１６１の後方へ回動可能となっている。
【００６９】
また、演出制御装置配設部１６５の回動軸２６４が設けられた側に対向する内側面には、演出制御装置配設部１６５に対して回動可能に取り付けられるボックス３３ａの一端部（開放端）を固定する固定部材２６５が設けられている。この固定部材２６５には演出制御装置配設部１６５側に開口する凹部２６６が形成されており、この凹部２６６に、ボックス３３ａの側部に設けられた係合部２６７を受け入れ保持することで、ボックス３３ａの開放端側を係止し、ボックス３３ａを演出制御装置配設部１６５内に固定するものである。
【００７０】
また、背面壁２６３の裏面であって、演出制御装置配設部１６５が形成された部分には、演出制御装置配設部１６５の前面側に形成された表示枠ユニット収納部１６８に連通する配線用開口２６８が形成されており、この配線用開口２６８を通して液晶表示パネル１７５（液晶表示器５５、バックライト５６）と演出制御装置３３とが配線によって接続されるようになっている。
【００７１】
演出制御装置３３を収容したボックス３３ａの上下幅は、演出制御装置配設部１６５の上下幅よりも広く、演出制御装置配設部１６５にこのボックス３３ａを収容すると、ボックス３３ａの下部が演出制御装置配設部１６５の下方に延出するようになっている。そして、図２に示すように、ボックス３３ａの前面側であって本体部の下縁の下方に延出する部分からは、演出制御装置３３に設けられたコネクタ部３３ｍがボックス３３ａの外側に露出している。
【００７２】
また、上述したように、遊技盤１の裏面には演出データ装置３２が取り付けられており、この演出データ装置３２の裏面であって、演出制御装置３３が取り付けられた演出制御装置配設部１６５の下方に位置する部分には、コネクタ部３２ｆが設けられている。
【００７３】
すなわち、図１に示すように、遊技盤１が前面枠本体１３０に取り付けられ、かつ、裏機構枠１６０が遊技盤１の裏面側に配された状態で、演出制御装置３３を収容したボックス３３ａを演出制御装置配設部１６５に収容される状態にすると、演出データ装置３２のコネクタ部３２ｆと演出制御装置３３のコネクタ部３３ｍが連結し、演出データ装置３２と演出制御装置３３が直接接続できるようになっている。さらに、ボックス３３ａは、コネクタ部３３ｍの両側にワンタッチ着脱式の固定部材３３ｄ，３３ｄを有しており、演出データ装置３２に形成された取付穴３２ｉ，３２ｉに固定部材３３ｄ，３３ｄを押し込むことで両装置のコネクタ３２ｆ，３３ｍを確実に連結できるようになっている。また、ボックス３３ａの演出制御装置配設部１６５に軸着される側の端部にも、コネクタ部３３ｎが外部に露出するように設けられており、他の制御装置等と接続できるようになっている。
【００７４】
さらに、ボックス３３ａの軸着される側と対向する側の端部（開放端）には、演出制御装置配設部１６５に形成された固定部材２６５に係合可能な係合部２６７が設けられている。この係合部２６７は、ボックス３３ａの裏面に設けられた図示しない操作手段を操作することで、ボックス３３ａの側部から突出した状態とボックス３３ａ内部に収納された状態とに変換できるようになっており、ボックス３３ａの演出制御装置配設部１６５への固定と解除を行えるようになっている。
【００７５】
以上のことから、遊技盤裏面側下方部には、表示ユニット１７３で表示される画像データを記憶した記憶手段（キャラクタＲＯＭ３２ｂ）を搭載するとともに遊技盤固有の表示データ装置（演出データ装置３２）が配設され、裏機構枠１６０は、遊技盤裏面における表示データ装置が配設される部位を除く該遊技盤裏面側上方部を覆うように配設されるとともに、下部背面側に表示ユニット１７３を制御するとともに複数の遊技盤で共通使用可能な表示制御装置（演出制御装置３３）を設け、表示制御装置は、コネクタ部３３ｍを裏機構枠１６０の下縁から下方に突出して設けることで、表示データ装置のコネクタ部３２ｆと接続可能に構成されていることとなる。
【００７６】
図７に示すように、背面壁２６３の裏面であって、裏機構枠１６０の裏面側から見て、演出制御装置配設部１６５の右側には、演出制御装置３３と他の装置等を接続する配線を収納する配線収納部２０４が形成されている。
この配線収納部２０４は、演出制御装置配設部１６５に連通する前方に窪んで後方に開口した凹部であって、配線を収納する他、遊技機外部の装置（管理装置など）との通信を行うための枠用外部出力端子２０５を取り付けるための取付部２０５ａや、中継基板２０７を取り付けるための取付部２０７ａが形成されている。この配線収納部２０４は、カバー部材２０８によって覆われるようになっているが、カバー部材２０８の上部には開口部２０９が形成されており、カバー部材２０８を取り付けた状態で、取付部２０５ａに取り付けられた枠用外部出力端子２０５が裏機構枠１６０の裏面側に露出するようになっている。
【００７７】
図５，８に示すように、表示枠ユニット収納部１６８の後面を形成する背面壁２６３の前面には、表示枠ユニット１７０を前側に付勢する表示枠ユニット付勢手段をなす付勢部材としての圧縮コイルばね１８２を収納する付勢部材収納部１８１や、本体部１６１を補強するための補強リブ１６４が形成されている。なお、上述したように背面壁２６３の裏面側の下部には、前方に窪んで後方に開口した凹部である演出制御装置配設部１６５が形成されており、表示枠ユニット収納部１６８の後面であって下部は、演出制御装置配設部１６５の裏面によって形成されている。また、この演出制御装置配設部１６５の裏面には、後述する表示枠ユニット１７０の裏面に突出する裏面滑り手段１８４の後部を受け入れ可能な開口１６６が、裏面滑り手段１８４と対向する位置に形成されている。
【００７８】
付勢部材収納部１８１は、後述する表示枠ユニット付勢手段としての圧縮コイルばね１８２の外径と略同じ内径を有する円筒形の凹部で、前側に突出した演出制御装置配設部１６５の上側に隣接して、背面壁２６３の左右方向の中心から左右に等しい距離だけ離れて２つ設けられている。すなわち、付勢部材収納部１８１は背面壁２６３の前面側であって、演出制御装置配設部１６５と前後に重ならない部位に設けられている。
【００７９】
以上のことから、裏機構枠１６０における収納部（表示枠ユニット収納部１６８）の後面を形成する背面壁２６３は所定の厚さを有して構成され、背面壁２６３の裏面側の所要部位には、表示ユニット１７３を制御する表示制御装置（演出制御装置３３）を収納する制御装置収納部（演出制御装置配設部１６５）を前方側に窪ませて形成する一方、該背面壁２６３の前面側における該制御装置収納部とは前後に重ならない部位には、表示ユニット１７３を前方側に付勢する付勢部材（圧縮コイルばね１８２）を収納する付勢部材収納部１８１を形成したこととなる。
【００８０】
そして、表示枠ユニット収納部１６８の後面であって、前側に突出した演出制御装置配設部１６５と付勢部材収納部１８１が存在する部分を除いた部分には、補強リブ１６４が格子状に形成されている。なお、付勢部材収納部１８１および補強リブ１６４の前端部と、演出制御装置配設部１６５の裏面は、それぞれ同じ前後位置、すなわち、同一平面上に存在する。
【００８１】
そして、左右の周囲壁１６７とそれを延長するガイド部１６２により形成される表示枠ユニット収納部１６８の左右の内側面には、表示枠ユニット１７０の外周部を構成している表示枠ユニット本体１７２の左右の側部にそれぞれ設けられるとともに、前記左右の側部の上部及び下部の合わせて４カ所から外側（左側もしくは右側）に突出する後述の被スライド部１８を前後に移動自在に案内する概略溝状のスライド部１６９が設けられている。
【００８２】
スライド部１６９は、４つの被スライド部１８に対応して左右の内周面にそれぞれ上下２本ずつ前後方向に延在して設けられている。また、上側のスライド部１６９はその上部に、下側のスライド部１６９はその下部にそれぞれ前後方向に沿った突条１６９ａが形成され、溝状のスライド部１６９と合わせて被スライド部１８の上下移動を規制して前後に案内するようになっている。なお、スライド部１６９の前端は、ガイド部１６２の前端部より僅かに後方となっており、スライド部１６９の前端部には、溝状のスライド部１６９前端部を閉塞した状態として、該前端部より前側への表示枠ユニット１７０（被スライド部１８）の移動を規制する前方位置規制部材１８０が形成されている。
【００８３】
ここで、表示枠ユニット収納部１６８は、画像表示面１７１の面積が異なる複数種の表示枠ユニットを交換可能に構成されており、例えば、図５に示すように、標準サイズの画像表示面１７１を有する表示枠ユニット１７０より、画像表示面１７１の面積が大きい表示枠ユニット２７０に交換できるようになっている。この画像表示面１７１の面積が大きい表示枠ユニット２７０の詳細については後述するが、この表示枠ユニット２７０は前面側から見て右上部の被スライド部１８の位置が、標準サイズの画像表示面１７１を有する表示枠ユニット１７０と異なっており、表示枠ユニット収納部１６８には、これに対応するように別のスライド部１６９ｂが形成されている。
【００８４】
表示枠ユニット収納部１６８には、画像表示面１７１が前側（開口した側）となるように表示枠ユニット１７０が配設されるようになっている。そして、図１に示すように、裏機構枠１６０を遊技盤１の裏面に臨むように配することで、遊技盤１の裏面側に表示枠ユニット１７０の画像表示面１７１が臨むようになる。なお、裏機構枠１６０が遊技盤１の裏面に臨む状態にあるとき、表示枠ユニット１７０は遊技盤本体１０の裏面から後方側へ隔離した位置に配されるようになっている。また、この表示枠ユニット収納部１６８の上下幅および左右幅は、表示枠ユニット１７０の上下幅および左右幅（ただし左右に突出する被スライド部１８を除く）よりも大きくなっており、表示枠ユニット１７０の周囲に空間があいた状態とされる。さらに、溝状のスライド部１６９の上下幅は被スライド部１８の上下幅よりも若干大きく、また、左右に対向して形成されたスライド部１６９，１６９間の幅は、表示枠ユニット１７０の左右に形成された被スライド部１８，１８の側端部間の幅よりも若干大きくなっている。
【００８５】
これによって、表示枠ユニット１７０の前後方向への移動が容易になるとともに、表示枠ユニット１７０が表示枠ユニット収納部１６８内で僅かに傾斜した状態になることも可能となるが、基本的に後述するように、表示枠ユニット１７０が表示枠ユニット付勢手段により前側に付勢された状態で、位置調整部材１３７，１３８により被位置調整部２０，２１の位置が決定されることで、表示枠ユニット１７０（表示ユニット１７３）の角度も決定される。
【００８６】
また、表示枠ユニット１７０は、後述するように、バネ等の弾性部材からなる表示枠ユニット付勢手段により前方側に向かって付勢された状態となっているが、裏機構枠１６０を開放した状態あるいは、遊技盤１を前面枠１２０から取り外した状態では、上述の前方位置規制部材１８０に表示枠ユニット１７０の被スライド部１８の前端部が当接した状態となる。すなわち、この表示枠ユニット１７０の裏機構枠１６０に対する前後位置が、表示枠ユニット１７０の前後方向の移動範囲における最も前側の位置である。
なお、裏機構枠１６０を閉じた状態においては、遊技盤裏面に設けられて後方に突出するセンターケース１１の後端部１６は、上述した表示枠ユニット１７０の前後方向の移動範囲における最も前側の位置より後方に位置するようになっている。よって、センターケース１１の後端部１６が表示枠ユニット１７０の前面に密着できるようになっている。すなわち、スライド部１６９と被スライド部１８からなるスライド手段２７１によって、表示ユニット１７３を備えた表示枠ユニット１７０が、前後にスライド可能に表示枠ユニット収納部１６８に収納され、さらに表示枠ユニット１７０は、遊技盤１の裏面側への突出量（後方突出量）に応じて前後にスライドするようになっている。
【００８７】
以上のことから、収納部（表示枠ユニット収納部１６８）には、遊技盤１の後方突出量に応じて、表示ユニット１７３を前後にスライド可能なスライド手段２７１を備えたこととなる。
【００８８】
表示枠ユニット１７０は、図４，５、９から１２に示すように、前面側が開口した矩形箱状（額縁状）に形成された表示枠ユニット本体１７２と、この矩形箱状の表示枠ユニット本体１７２の、前面側が前記開口により開放された空間である内部収納空間１８３内に配置される表示ユニット１７３と、前記表示枠ユニット本体１７２の前面側で前記内部収納空間１８３の前側を覆う透明な前面クリアカバー１７９とからなるものである。なお、図５に示すように、表示枠ユニットは標準サイズの画像表示面１７１を有する表示枠ユニット１７０の他に、例えば、画像表示面１７１の面積が大きい表示枠ユニット２７０にも交換可能であるが、ここでは標準サイズの画像表示面１７１を有する表示枠ユニット１７０の構成について説明するものとし、画像表示面１７１の面積が大きい表示枠ユニット２７０の構成については後述する。
【００８９】
表示枠ユニット本体１７２は、被スライド部１８を有し、裏機構枠１６０の表示枠ユニット収納部１６８内において前後動自在に配される。また、表示枠ユニット本体１７２の内部収納空間１８３は、その形状が前後幅が狭い略直方体状、すなわち、略矩形板状となっている。この内部収納空間１８３の上下左右幅は、後述する表示ユニット１７３の上下左右幅よりも広いものとなっており、表示ユニット１７３が内部収納空間１８３内で上下左右方向に移動可能となっている。また、内部収納空間１８３の前面側から見て左側の端部においては、後述する被スライド部１８，１８の前面側から見て右側の端部が内部収納空間１８３側に突出するように形成されており、内部収納空間１８３の左端部における上下の角部は、矩形状に切り取られた形状となっている。言い換えれば、内部収納空間１８３の左端部は、被スライド部１８，１８の間にある部分だけが左側に突出した形状となっている。
【００９０】
被スライド部１８は表示枠ユニット本体１７２の左右の側部であって、上部及び下部の合わせて４ヶ所から外側に突出するように設けられている。
このうち、表示枠ユニット本体１７２の左右の側部であって上部に設けられた被スライド部１８，１８は、側部の上端部から下側に所定間隔おいた位置に、側部に対して垂直に外側へ突出するように設けられている。この上側の被スライド部１８，１８は略直方体形状であって、概略溝状のスライド部１６９に配される先端側の前後の角部は丸められている。そして、この先端側には、カバー部材１８ａが取り付けられている。このカバー部材１８ａは、摩擦係数が低い材質（例えば、ポリアセタール、金属）からなり、表示枠ユニット１７０の前後方向の移動を容易にするものであって、裏機構枠１６０の表示枠ユニット収納部１６８に形成されたスライド部１６９と接する被スライド部１８の端面（外側に位置する側面）と上面、前面およびこれらの面が接続する角部を覆うようになっている。
【００９１】
また、カバー部材１８ａにおいて、被スライド部１８の丸められた角部（端面と前面が接続する角部）を覆う部分は、滑らかな曲面とされており、スライド部１６９内で被スライド部１８がより滑らかに移動できるようになっている。なお、カバー部材１８ａにおける被スライド部１８の前面を覆う部分は、カバー部材１８ａを被スライド部１８に固定するための部分であって、ここにはねじ孔１８ｂが形成されており、カバー部材１８ａをねじによって被スライド部１８に固定できるようになっている。
【００９２】
表示枠ユニット本体１７２の下部に設けられた被スライド部１８，１８は、表示枠ユニット本体１７２の側部の下端部から側部に対して垂直に外側へ突出し、さらに端部が下方に延出した略Ｌ字形となっている。そして、被スライド部１８の下方に延出した側の端部における下側の外側部は外側に突出していて、この突出した部分が概略溝状のスライド部１６９に配されるようになっている。この突出した部分も上述と同様に前後の角部が丸められており、摩擦係数が低い材質からなるカバー部材１８ａが、外側の側面と下面、前面およびこれらの面が接続する角部を覆うように取り付けられている。さらに、カバー部材１８ａにおいて、被スライド部１８の丸められた角部（端面と前面が接続する角部）を覆う部分は、滑らかな曲面とされており、スライド部１６９内で被スライド部１８がより滑らかに移動できるようになっている。また、各被スライド部１８の内部には、補強のためのリブ１８ｃが形成されている。
【００９３】
また、表示枠ユニット本体１７２の側壁の内側、すなわち、内部収納空間１８３の内側となる部分であって、側壁を挟んで被スライド部１８と対向する部分には、ねじ止め部（ボス）１８ｄが形成されていて、内部収納空間１８３の前面側の開口を閉鎖する前面クリアカバー１７９をねじによって表示枠ユニット本体１７２の前面側に固定できるようになっている。
【００９４】
図１１に示すように、前面クリアカバー１７９は、内部収納空間１８３の前面側の開口と略同じ大きさの透明な材質からなる略矩形板状の部材で、上述のように表示枠ユニット本体１７２の前面側に固定されるようになっている。この前面クリアカバー１７９は、内部収納空間１８３の前面側の開口を閉鎖する前面壁としての機能を有し、表示枠ユニット１７０の前面側から後述の表示ユニット１７３（画像表示面１７１）を視認可能な状態で、表示ユニット１７３を内部収納空間１８３内に保持するものである。また、前面クリアカバー１７９は、表示枠ユニット１７０の前面壁としての機能も有し、図１に示すように、裏機構枠１６０を閉鎖した状態では、前面クリアカバー１７９の前面がセンターケース１１の後端部１６に当接し、表示用窓部１２を閉鎖するようになっている。すなわち、前面クリアカバー１７９は、液晶表示パネル１７５の画像表示面１７１を、センターケース１１の後端部１６や遊技球の接触に伴う衝撃から保護するものでもある。
【００９５】
また、前面クリアカバー１７９の前面から見て左側の側部には、上下方向の中央に切欠き１７９ａが形成されており、ここから表示ユニット１７３に形成された後述する第１の被位置調整部２１が前面側に露出するようになっている。なお、内部収納空間１８３の左側の端部であって、被スライド部１８，１８の間に延出した部分の前面は前面クリアカバー１７９によって覆われず、その前面側が開口したままの状態となる。
【００９６】
また、図１２に示すように、表示枠ユニット本体１７２には、裏面滑り手段１８４、配線用開口１８５、ばね装着筒１７８が形成されている。
裏面滑り手段１８４は、内部収納空間１８３内における表示ユニット１７３の上下左右方向への移動を円滑にするためのものであって、表示枠ユニット本体１７２の前面であって内部収納空間１８３を形成する壁面の上下左右に４つ設けられている。この裏面滑り手段１８４は、前面側が内部収納空間１８３内に開口するとともに後部が表示枠ユニット本体１７２の裏面側に突出した略半球状の凹部１８４ａに、例えば、遊技球のような球体１８４ｂが収納された構成となっている。球体１８４ｂは、凹部１８４ａ内で転動自在に保持されるようになっているとともに、球体１８４ｂの前面側の一部が、内部収納空間１８３内に突出した状態で凹部１８４ａに収納されている。そして、球体１８４ｂの前端部が、内部収納空間１８３内に配される表示ユニット１７３の裏面に当接するようになっている。
【００９７】
内部収納空間１８３内に配される表示ユニット１７３は、表示枠ユニット本体１７２の前面であって内部収納空間１８３を形成する壁面に４つ設けられた各裏面滑り手段１８４の球体１８４ｂが裏面に当接することで、内部収納空間１８３を形成する壁面から球体１８４ｂが突出した分だけ前側に離れた位置に配される。さらに、表示ユニット１７３の裏面に当接する裏面滑り手段１８４の球体１８４ｂが転動自在に凹部１８４ａに保持されているので、表示ユニット１７３は円滑に上下左右方向へ移動可能となる。なお、表示枠ユニット本体１７２の前面であって内部収納空間１８３を形成する壁面に４つ設けられた裏面滑り手段１８４の配設位置は、表示ユニット１７３が内部収納空間１８３内で上下左右に移動しても、常に表示ユニット１７３の裏面に当接できるような位置とされている。
【００９８】
配線用開口１８５は、表示枠ユニット本体１７２を前後に貫通するように形成された矩形状の開口で、表示枠ユニット本体１７２の前面側であって内部収納空間１８３内に配される表示ユニット１７３と、裏機構枠１６０の裏面側に配される演出制御装置３３とを接続する配線を通すための開口である。後述するように、表示ユニット１７３を構成する表示ユニットケース１７４の裏面側にも配線用開口１９１が形成されており、液晶表示パネル１７５に設けられたコネクタ部１７５ａが後方に露出している。表示枠ユニット本体１７２に形成された配線用開口１８５は、図１０に示すように、表示ユニット１７３を内部収納空間１８３に収納した際に、表示ユニット１７３の裏面側に露出する液晶表示パネル１７５のコネクタ部１７５ａが、表示枠ユニット本体１７２の裏面側に露出できるような位置に形成されている。さらに、表示枠ユニット本体１７２に形成された配線用開口１８５は、内部収納空間１８３内で表示ユニット１７３が上下左右方向に移動しても、常に液晶表示パネル１７５のコネクタ部１７５ａが表示枠ユニット本体１７２の裏面側に露出できるような範囲に形成されている。
【００９９】
ばね装着筒１７８は、表示枠ユニット本体１７２の裏面側に、後方に突出するように形成された円筒状の凸部である。このばね装着筒１７８の外径は、表示枠ユニット付勢手段としての圧縮コイルばね１８２の内径と略等しく、ばね装着筒１７８に圧縮コイルばね１８２を嵌合することで、表示枠ユニット本体１７２の裏面（表示枠ユニット１７０の裏面）に圧縮コイルばね１８２が取り付けられる。
【０１００】
このばね装着筒１７８が形成される位置は、表示枠ユニット１７０を表示枠ユニット収納部１６８に取り付けたときに、表示枠ユニット配設部１６３の前面に形成された付勢部材収納部１８１と対向する位置となっている。そして、付勢部材収納部１８１に収納された圧縮コイルばね１８２に、ばね装着筒１７８を挿入することで、表示枠ユニット１７０と表示枠ユニット配設部１６３の前面との間に圧縮コイルばね１８２が配され、表示枠ユニット１７０が前方向に付勢された状態となる。なお、圧縮コイルばね１８２に外部から力がかかっていない状態での長さ（自然長）は、表示枠ユニット１７０の前面が前方位置規制部材１８０に当接し、表示枠ユニット１７０が最も前側にある状態における表示枠ユニット１７０の裏面と付勢部材収納部１８１の後端部との距離よりも長く、常に表示枠ユニット１７０を前側に付勢できるようになっている。
【０１０１】
また、表示枠ユニット本体１７２の側壁であって、前面側から見て上側の側壁には、表示枠ユニット本体１７２の内部収納空間１８３に収納される表示ユニット１７３に設けられた後述する第２の被位置調整部２０を、内部収納空間１８３の外側に露出させるための切欠き１８６が形成されている。なおこの切欠き１８６は、表示ユニット１７３が内部収納空間１８３内で上下左右に移動しても、第２の被位置調整部２０が表示枠ユニット本体１７２に接触しないように形成されている。
さらに、表示枠ユニット本体１７２の前面側から見て右側の側壁の外側であって、上下の被スライド部１８，１８の間には、インバータ取付部１８７が形成され、液晶表示パネル１７５のバックライト５６のインバータ１８８が取り付けられている。
【０１０２】
表示ユニット１７３は、表示枠ユニット本体１７２の内部収納空間１８３内に収まるような矩形板状に形成されている。この表示ユニット１７３は、液晶表示パネル１７５（液晶表示器５５、バックライト５６を含む）を収納する前面側が開口した表示パネル収納部１８９を有する箱状の表示ユニットケース１７４と、この表示ユニットケース１７４内（表示パネル収納部１８９内）に収納された液晶表示パネル１７５とからなるものであり、表示ユニットケース１７４の前面側から液晶表示パネル１７５の画像表示面１７１を有する前面が露出している。また、表示ユニット１７３の前後幅は、表示枠ユニット本体１７２の前面クリアカバー１７９で閉塞された内部収納空間１８３の前後幅より僅かに短くされているが、表示枠ユニット本体１７２内で表示ユニット１７３は、ほとんど前後動できない状態で保持される。
【０１０３】
また、表示ユニット１７３の上下幅及び左右幅（ただし、上方に突出する後述の第２の被位置調整部２０を除く）は、表示枠ユニット本体１７２の内部収納空間１８３の上下幅及び左右幅より短くされており、後述するように、センターケース１１の表示用窓部１２に対して、表示ユニット１７３（液晶表示パネル１７５）の画像表示面１７１を位置合わせできる程度に、表示枠ユニット本体１７２の内部収納空間１８３内で表示ユニット１７３を少しだけ上下左右に移動自在となっている。
【０１０４】
図１１，１２に示すように、表示ユニットケース１７４の左側縁部には、外側に突出するようにベース部１９４が形成され、その前面に第１の被位置調整部２１が形成されている。ベース部１９４は、表示ユニットケース１７４の前後幅と略同じ前後幅を有する矩形板状で、表示ユニットケース１７４の左側縁部に沿って、上下方向の中央に位置するように形成されている。そして、このベース部１９４の前面に形成された第１の被位置調整部２１は、一側面がベース部１９４の左側縁部に沿うように形成された直方体の前端部を、ベース部１９４の左側縁部に沿った側面から、対向する右側面２１ｂに向かって後方に傾斜するような傾斜面２１ａとした、断面が台形の柱状となっており、ベース部１９４の上下方向の中央に形成されている。
【０１０５】
この第１の被位置調整部２１は、表示ユニット１７３を表示枠ユニット本体１７２の内部収納空間１８３に収納した際に、内部収納空間１８３の前面を覆う前面クリアカバー１７９の左端部に形成された切欠き１７９ａから前方側に突出するようになっている。また、第１の被位置調整部２１の前面側から見て右側の側面２１ｂの前端部（傾斜面２１ａとの接続部）の前後位置は、表示ユニット１７３を表示枠ユニット本体１７２の内部収納空間１８３に収容し、前面クリアカバー１７９を取り付けた際に、前面クリアカバー１７９の前面と同じ前後位置となるようにされている。
【０１０６】
また、第１の被位置調整部２１の傾斜面２１ａにおけるベース部１９４の前面に対する傾斜角度は、上述した第１の位置調整部材１３８の傾斜面１３８ａにおける遊技盤本体１０の裏面に対する傾斜角度と同じ角度（例えば、互いに４５度）とされている。さらに、第１の被位置調整部２１の傾斜面２１ａおよび第１の位置調整部材１３８の傾斜面１３８ａにおける傾斜方向は、左右方向に沿い、かつ、前面側から見て右側の端部が対向する側の端部より後側に位置するような傾斜方向とされている。よって、後述するように、裏機構枠１６０を遊技盤１の裏面に配した状態（閉鎖した状態）として、両者を対向するように配したときに、互いの傾斜面１３８ａ，２１ａが密着できるようになっている。
【０１０７】
ベース部１９４における第１の被位置調整部２１の上下には、内部収納空間１８３内で表示ユニット１７３を前面側から見て右方向に付勢する表示ユニット付勢手段２５０が設けられている。この表示ユニット付勢手段２５０は、ベース部１９４に形成された取付凹部２５１と、ここに収納される付勢部材としての圧縮コイルばね２５２、可動部材２５３とからなる。
【０１０８】
図１２に示すように、取付凹部２５１は、ベース部１９４の左右方向に沿って延在する前側が開口した凹部であって、左側端側には、ベース部１９４の左側端面に開口する開口部２６１が形成されている。この開口部２６１の大きさは、後述する可動部材２５３の押圧部２５５を挿通できる程度の大きさとされている。
【０１０９】
可動部材２５３は、コ字状の主部２５４と、主部２５４の一側端から延出するように形成された円柱状の押圧部２５５を有している。また、主部２５４の上下側面には、それぞれ外側へ突出する係合部２５７，２５７が形成されている。この係合部２５７，２５７は、取付凹部２５１に左右方向に沿って形成された図示しない溝部にスライド可能に嵌合できるようになっており、これによって可動部材２５３が取付凹部２５１内でスライド可能に保持されるようになっている。
【０１１０】
また、取付凹部内には、可動部材２５３とともに圧縮コイルばね２５２が収容されている。この圧縮コイルばね２５２は、その一端が主部２５４の一側面に当接し、他端が取付凹部２５１の右端側の側壁に当接するように収容されており、これにより可動部材２５３は左方向（開口部２６１方向）に付勢されるようになっている。
【０１１１】
そして、可動部材２５３が圧縮コイルばね２５２によって左方向に付勢されることで、円筒形状の押圧部２５５が、取付凹部２５１の左側端に形成された開口部２６１から外側に突出するようになる。なお、開口部２６１は押圧部２５５を挿通できる程度の大きさとされており、可動部材２５３が取付凹部２５１内で最も左側に位置するときには、押圧部２５５は開口部２６１から突出するが、主部２５４は開口部２６１を通過できずに係止され、左方向への移動が規制された状態となる。なお、圧縮コイルばね２５２に外部から力がかかっていない状態では、このように可動部材２５３が取付凹部２５１内で最も左側に位置するようになっている。
【０１１２】
以上のような表示ユニット付勢手段２５０は、取付凹部２５１に対して、可動部材２５３が、左右方向に沿ってスライド可能に嵌合し、さらに、圧縮コイルばね２５２によって左方向に付勢されていることで、押圧部２５５が、左右方向に移動可能で、かつ、左方向に付勢された状態で開口部２６１から突出した状態となる。そして、表示ユニット１７３の左側方に押圧部２５５がこのように突出することで、押圧部２５５の先端面が内部収納空間１８３を形成する表示枠ユニット本体１７２の左側壁の内側面に当接し、内部収納空間１８３内において表示ユニット１７３を前面側から見て右方向に付勢する。このように、前面側から見て右方向へ付勢されている表示ユニット１７３の右側面２１ｂに、後述するように、第１の位置調整部材１３８の後端部に形成されたリブ１３８ｂが係合して表示ユニット１７３の右方向への移動を規制することで表示ユニット１７３の左右位置が調整されることとなる。
【０１１３】
ここで、押圧部２５５の長さ及び突出幅は、第１の被位置調整部２１、第１の位置調整部材１３８によって、表示ユニット１７３の左右方向の位置調整がなされていない状態（例えば、裏機構枠１６０を開放した状態）において、表示ユニット１７３を内部収納空間１８３の右端側に押し付けた状態で保持できるように設定されている。なお、内部収納空間１８３の右端側に押し付けた状態とは、内部収納空間１８３を形成する表示枠ユニット本体１７２の右側壁の内側面に形成された、前面クリアカバー１７９を取り付けるためのボス１８ｄ，１８ｄに、表示ユニット１７３の右側端が当接した状態である。
【０１１４】
表示ユニットケース１７４の上側縁部には、第２の被位置調整部２０が設けられている。この第２の被位置調整部２０は、表示ユニットケース１７４の上側縁部に配され、かつ、表示枠ユニット本体１７２の上側縁より外方に延出する鎹状のローラ取付部材２０ａと、該ローラ取付部材２０ａに回動可能に支持される円柱状のローラ２０ｂとを有する。
【０１１５】
表示ユニットケース１７４の上側縁部に配される第２の被位置調整部２０のローラ取付部材２０ａは、上側縁部の左右方向の中央にあって、上方に延出する２つの延出部２０ｃ，２０ｃを有する。この各々の延出部２０ｃ，２０ｃの先端部には、ローラ２０ｂを軸支する軸受け２０ｄ，２０ｄが上側縁部の左右方向に沿って延在するように形成されており、この２つの軸受け２０ｄ，２０ｄによって円柱状のローラ２０ｂの両端部を回動可能に支持することで、上側縁部の左右方向に沿ってローラ２０ｂが配される。
【０１１６】
また、鎹状のローラ取付部材２０ａは、その２つの延出部２０ｃ，２０ｃのうち一方の延出部２０ｃを有し、表示ユニットケース１７４に固定された固定部２０ｅと、他方の延出部２０ｃを有し、表示ユニットケース１７４から着脱可能な着脱部２０ｆとからなる。
【０１１７】
よって、ローラ２０ｂを取り付ける際には、着脱部２０ｆを取り外した状態で、ローラ２０ｂの一端を固定部２０ｅ側に設けられた延出部２０ｃの軸受け２０ｄに挿入し、その後、ローラ２０ｂの他端を着脱部２０ｆ側に設けられた延出部２０ｃの軸受け２０ｄに挿入するとともに、着脱部２０ｆを表示ユニットケース１７４に取り付ける。また、着脱部２０ｆにはねじ孔２０ｇが形成されており、着脱部２０ｆをねじによって表示ユニットケース１７４に固定することで、ローラ２０ｂが回動可能に軸支されるようになる。
【０１１８】
第２の被位置調整部２０は、表示ユニット１７３を表示枠ユニット本体１７２の内部収納空間１８３に収納した際に、表示枠ユニット本体１７２の側壁に形成された切欠き１８６から外側に突出するようになっている。さらに、第２の被位置調整部２０は、表示枠ユニット１７０を裏機構枠１６０の表示枠ユニット収納部１６８に収納した際に、表示枠ユニット収納部１６８の内周と、表示枠ユニット１７０の外周との間となる間隔に配置されるようになっている。また、第２の被位置調整部２０のローラ２０ｂの前部は、表示枠ユニット１７０の前面をなす前面クリアカバー１７９の前面と同じ前後位置に配置されるようになっている。
【０１１９】
そして、裏機構枠１６０を遊技盤１の裏面に配した状態（閉鎖した状態）において、遊技盤１に形成された第２の位置調整部材１３７と対向するようになっている。
なお、後述するように、第２の被位置調整部２０のローラ２０ｂが第２の位置調整部材１３７の誘導ガイド部１３７ａによって係合固定部１３７ｂに案内されることで表示ユニット１７３の上下位置が調整される。この際、ローラ２０ｂが回動可能であることで、表示ユニット１７３がスムーズに所定位置へ誘導される。
【０１２０】
以上のような第１の被位置調整部２１、第２の被位置調整部２０によって、後述するように表示用窓部１２に対する表示ユニット１７３（液晶表示パネル１７５）の画像表示面１７１の位置が適切な位置に調整される。
【０１２１】
また、表示ユニット１７３の前面側の外周縁部となる左右の側縁部には、それぞれ上下二カ所に、切欠き状の第１前面滑り部材取付部が形成され、ここに第１前面滑り部材１７６が設けられている。この第１前面滑り部材１７６は、前面クリアカバー１７９の裏面に当接する滑り面を有する滑り部１７６ａと、後述する液晶表示パネル１７５を表示パネル収納部１８９に固定するための表示パネル固定部１７６ｂとを有する。
【０１２２】
滑り部１７６ａの前部は、表示ユニットケース１７４の外周縁部の前端面よりも前側に突出するように配されており、表示ユニット１７３を表示枠ユニット本体１７２の内部収納空間１８３に収納し、前面クリアカバー１７９を取り付けた際に、前面クリアカバー１７９の裏面に当接するようになっている。この滑り部１７６ａの前部は、摩擦係数が低い材質（例えば、ポリアセタールや金属）により構成されており、前面クリアカバー１７９との摩擦抵抗を減少させることで、表示ユニット１７３の内部収納空間１８３内での上下左右方向への移動を円滑にするものである。
【０１２３】
また、第１前面滑り部材１７６の表示パネル固定部１７６ｂは、表示ユニットケース１７４の側壁の前端面より液晶表示パネル１７５の厚みの分だけ後方側となる位置に、表示パネル収納部１８９内に突出するように配されている。この表示パネル固定部１７６ｂには、ねじによって液晶表示パネル１７５を表示パネル収納部１８９内に固定するためのねじ止め部（ボス）が形成されている。
【０１２４】
表示ユニットケース１７４の左側縁部に形成されたベース部１９４の上下側面であって、表示ユニットケース１７４の左側縁部と接続する角部には、上述の第１前面滑り部材１７６と同様に、前面クリアカバー１７９との摩擦抵抗を減少させ、表示ユニット１７３の上下左右方向への移動を円滑にする第２前面滑り部材１９５が設けられている。この第２前面滑り部材１９５は、上述の裏面滑り手段１８４と略同じ構成を有しており、前面側が開口した凹部１９５ａに、例えば、遊技球のような球体１９５ｂが転動自在に収納された構成となっている。また、球体１９５ｂの前面側の一部は、凹部１９５ａの前端よりも突出し、第１前面滑り部材１７６の滑り部１７６ａの前部と略同じ前後位置に位置するようになっており、第１前面滑り部材１７６の滑り部１７６ａの前部とともに前面クリアカバー１７９の裏面に当接するようになっている。なお、球体１９５ｂの前端の方を第１前面滑り部材１７６の滑り部１７６ａの前部よりも前方に突出させて、球体１９５ｂのみを前面クリアカバー１７９に当接させても良い。
【０１２５】
ここで、表示ユニット１７３の後端部をなす表示ユニットケース１７４の裏面から、表示ユニット１７３の前端部をなす第１前面滑り部材１７６の滑り部１７６ａ前面および第２前面滑り部材１９５の球体１９５ｂの前端までの幅は、内部収納空間１８３における裏面滑り手段１８４の球体１８４ｂの前端から前面クリアカバー１７９の裏面までの幅と略等しい幅となっている。よって、表示ユニット１７３が表示枠ユニット本体１７２の内部収納空間１８３に収納された状態では、表示ユニット１７３の裏面側に裏面滑り手段１８４の球体１８４ｂの前端が当接するとともに、前面クリアカバー１７９の裏面に第１前面滑り部材１７６の滑り部１７６ａの前端および第２前面滑り部材１９５の球体１９５ｂの前端が当接した状態となり、内部収納空間１８３内での表示ユニット１７３の前後移動が規制されるようになっている。一方、表示ユニット１７３は、第１前面滑り部材１７６、第２前面滑り部材１９５及び裏面滑り手段１８４によって、前面および裏面における摩擦抵抗が軽減されるようになっており、表示枠ユニット本体１７２の前面と前面クリアカバー１７９とにより前後をほぼ挟まれた状態であっても、円滑に内部収納空間１８３内で上下左右に移動可能となっている。
【０１２６】
また、表示ユニットケース１７４には、表示ユニットケース１７４の前面側であって表示パネル収納部１８９に収納される液晶表示パネル１７５と、裏機構枠１６０の裏面側に配される演出制御装置３３とを接続する配線を通すための、前後に貫通した配線用開口１９１が形成されている。この配線用開口１９１は、液晶表示パネル１７５の裏面側に設けられたコネクタ部１７５ａの位置に対応して形成されており、液晶表示パネル１７５を表示ユニットケース１７４の表示パネル収納部１８９に収納すると、この配線用開口１９１からコネクタ部１７５ａが露出するようになっている。
【０１２７】
図１１，１２に示すように、液晶表示パネル１７５は矩形板状であって、表示ユニットケース１７４の表示パネル収納部１８９にちょうど収まる大きさとなっている。この液晶表示パネル１７５は、液晶表示器５５とバックライト５６などから構成され、液晶表示器５５の画像表示面１７１が、前側に臨むように配されている。よって、液晶表示パネル１７５の画像表示面１７１は、表示枠ユニット１７０の前面側から前面クリアカバー１７９を介して視認可能に配されることとなる。
【０１２８】
また、液晶表示パネル１７５の前面側であって、画像表示面１７１の左右には、それぞれ上下二カ所にねじ孔１９３，１９３，…が形成されている。このねじ孔１９３，１９３，…は、前後方向に貫通するように形成されており、液晶表示パネル１７５を表示パネル収納部１８９に収納した状態で、このねじ孔１９３，１９３，…にねじを挿通し、表示ユニットケース１７４に設けられた第１前面滑り部材１７６のねじ止め部に螺合することで液晶表示パネル１７５を表示パネル収納部１８９に固定できるようになっている。
【０１２９】
液晶表示器５５の画像表示面１７１の面積は、前面枠本体１３０に形成された開口部に嵌め込まれた遊技盤１の上側略半分を裏面側から覆うことができる面積となっており、センターケース１１によって形成された表示用窓部１２よりも広いものである。すなわち、画像表示面１７１の面積が、少なくとも表示用窓部１２よりも広く、表示用窓部１２の大きさが変化してもそれに対応できるようになっている。このように、液晶表示器５５の画像表示面１７１が遊技盤１の裏面側を幅広く覆うようにすることで、遊技盤１を交換して遊技機１００の遊技内容を変更する場合に、多種の遊技盤１の表示用窓部１２に対応できるようになっている。
【０１３０】
また、液晶表示器５５は、画像表示面１７１の面積が表示用窓部１２よりも広いので、表示用窓部１２から露出する領域に画像が表示されるように演出制御装置３３によって制御されている。この画像を表示する領域を決定する遊技盤１の表示用窓部１２の大きさや位置に関する情報は、遊技制御装置３０に記憶されているが、遊技制御装置３０は遊技盤１に取り付けられており、遊技盤１と一緒に遊技制御装置３０も交換される。よって、遊技盤１の交換に伴い、例えば、これまでの遊技盤の表示用窓部に対応した画像表示領域から、新たな遊技盤１の表示用窓部１２に対応した画像表示領域に変更できるようになっている。
【０１３１】
以上のような構成によって、液晶表示器５５を備えた表示ユニット１７３は、表示枠ユニット１７０に上下左右方向に移動可能に保持され、表示枠ユニット１７０は、裏機構枠１６０に前後移動可能に保持されることとなる。すなわち、表示ユニット１７３は裏機構枠１６０に前後、上下、左右方向へ移動可能に保持されていることとなる。
【０１３２】
次に、表示ユニット１７３の位置調整について説明する。表示ユニット１７３の位置調整は、例えば、裏機構枠１６０を閉めた状態で遊技盤１を前面枠１２０にその前面側から取り付ける場合、もしくは、メンテナンスなどのために前面枠本体１３０に遊技盤１が取り付けられた状態で裏機構枠１６０を開放した状態から閉鎖した状態とする場合に行われる。
ここでは、一例として、裏機構枠１６０を閉鎖した状態で遊技盤１を前面枠１２０に取り付ける場合における表示ユニット１７３の位置調整について説明する。なお、すでに開口部から古い遊技盤１が取り外されており、裏機構枠１６０は、前面枠本体１３０の裏面側に表示ユニット１７３が臨む状態（閉鎖した状態）とされているものとする。
【０１３３】
前面枠本体１３０の開口部の前面側から見て左側、すなわち、裏機構枠１６０が軸着された側には、遊技盤１の一側部を係止する係止部材（図示略）が設けられていて、遊技盤１を開口部に取り付ける際には、まず、開口部に対してその前側から、遊技盤１の一側部をこの係止部材に係止させるように斜めに挿入する。そして、係止部材によって係止された側を軸として、遊技盤１を遊技機１００の後方側へ回動させながら開口部に嵌め込む。
【０１３４】
ここで、裏機構枠１６０の表示枠ユニット収納部１６８に収納されている表示枠ユニット１７０は、表示枠ユニット収納部１６８内で、スライド部１６９および被スライド部１８からなるスライド手段２７１により前後移動可能に、かつ、表示枠ユニット付勢手段としての圧縮コイルばね１８２によって前方向に付勢された状態で保持されており、裏機構枠１６０を開放した状態では、被スライド部１８の前面が前方位置規制部材１８０に接する位置に配される。
【０１３５】
上述のように遊技盤１を後方側に回動させる過程において、遊技盤１の後方に突出するセンターケース１１は、その後端部１６が表示枠ユニット１７０の前面である前面クリアカバー１７９の前面に当接する。また、遊技盤１の後方に突出する第１の位置調整部材１３８のリブ１３８ｂの後端部は、表示ユニット１７３の側方に設けられた第１の被位置調整部２１の傾斜面２１ａに当接する。さらに、遊技盤１の後方に突出する第２の位置調整部材１３７の誘導ガイド部１３７ａは、表示ユニット１７３の上方に設けられた第２の被位置調整部２０のローラ２０ｂに当接する。そして、遊技盤１を開口部に嵌め込むために、さらに後方側に回動させるのに伴い、表示枠ユニット１７０は、表示枠ユニット付勢手段としての圧縮コイルばね１８２の付勢力に抗して後方向へ押し込まれることとなる。
【０１３６】
ここで、遊技盤１は、係止部材によって係止された一側部を軸として回動するので、センターケース１１の左側に設けられた第１の位置調整部材１３８が第１の被位置調整部２１に当接するとともに、センターケース１１の後端部１６のうち、遊技盤１の回動軸に近い側の後端部１６が先に表示枠ユニット１７０の前面に当接する。表示枠ユニット１７０は、表示枠ユニット収納部１６８内で若干傾斜した状態（表示枠ユニット１７０が裏機構枠１６０の左右方向と非平行状態）となることが可能であり、センターケース１１の後端部１６が当接した側が、より後方向に押し込まれるように傾斜した状態で移動する。
【０１３７】
遊技盤１は、回動させることで徐々に遊技機１００の左右方向に沿うようになり、遊技盤１が完全に開口部に嵌め込まれた状態では、遊技機１００の左右方向に平行な状態となる。また、表示枠ユニット１７０の傾斜も、遊技盤１を回動させることで徐々に遊技機１００の左右方向に沿うようになる。このように、遊技盤１が完全に開口部に嵌め込まれた状態において表示枠ユニット１７０は、その前面が遊技盤１の表示枠ユニット１７０が配設される領域における最も後方に突出した部分となるセンターケース１１の後端部１６に面接触するように、当初の位置（被スライド部１８の前面が前方位置規制部材１８０に接する位置）から遊技盤１の後方突出量に応じて後方に移動し、遊技盤１の左右方向に平行な状態となる。
【０１３８】
なお、遊技盤１を回動させる過程の当初は、遊技機１００の左右方向に平行な裏機構枠１６０に対する遊技盤１の傾きが大きく、表示枠ユニット１７０の傾斜可能な範囲より大きいため、センターケース１１の後端部１６の一部が表示枠ユニット１７０の前面に当接した状態となる。しかし、遊技盤１の回動に伴い、裏機構枠１６０に対するセンターケース１１の後端部１６の傾きが表示枠ユニット１７０の傾斜可能な範囲内になると、これ以降は表示枠ユニット１７０の前面がセンターケース１１の後端部１６に面接触した状態となる。
【０１３９】
また、表示枠ユニット１７０は、表示枠ユニット付勢手段（圧縮コイルばね１８２）によって前側に付勢されているので、前面がセンターケース１１の後端部１６に密着した状態で保持される。そして、センターケース１１により形成される表示用窓部１２を介して、遊技盤１の前面から画像表示面１７１を見ることができるようになる。
【０１４０】
そして、上述のように表示枠ユニット１７０が後方向に押し込まれるのと同時に、表示ユニット１７３の上下左右位置が所定位置に調整される。
【０１４１】
遊技盤１を後方に回動させる過程において、遊技盤１に設けられた第１の位置調整部材１３８と表示ユニット１７３に設けられた第１の被位置調整部２１とにより、表示ユニット１７３の左右方向の位置が調整される。第１の被位置調整部２１が形成された表示ユニット１７３は、内部収納空間１８３内において上下左右方向に移動可能に、かつ、表示ユニット付勢手段２５０によって前面側から見て右方向に付勢されており、第１の位置調整部材１３８が当接しない状態では、左右方向の移動範囲における最も右側に位置している。そして、遊技盤１を後方に回動させることにより、第１の位置調整部材１３８の前面側から見て右側の端部に形成されたリブ１３８ｂおよび傾斜面１３８ａの一部が、第１の被位置調整部２１の前面をなす傾斜面２１ａに当接する。
【０１４２】
なお、表示ユニット１７３の左右方向の移動範囲における最も右側の位置は、第１の位置調整部材１３８のリブ１３８ｂが第１の被位置調整部２１の傾斜面２１ａに当接できるような位置に設定されている。また、表示ユニット１７３を前面側から見て右方向に付勢する表示ユニット付勢手段２５０を備えたことにより、遊技盤１が前面枠１２０へ装着されていない場合における表示ユニット１７３の第１の被位置調整部２１の位置、すなわち、第１の位置調整部材１３８が第１の被位置調整部２１に作用を開始する位置を正確に設定することができ、確実に第１の位置調整部材１３８を第１の被位置調整部２１に作用させることができる。
【０１４３】
さらに遊技盤１を後方に回動させると、第１の被位置調整部２１の傾斜面２１ａに当接した第１の位置調整部材１３８のリブ１３８ｂおよび傾斜面１３８ａの一部が、第１の被位置調整部２１の傾斜面２１ａを後方に押圧する。このとき、前面側から見て右側に向かって後方に傾斜する第１の被位置調整部２１の傾斜面２１ａを、第１の位置調整部材１３８のリブ１３８ｂおよび傾斜面１３８ａの一部が後方に押圧することで、第１の被位置調整部２１は左向きの力を受ける。これによって、第１の被位置調整部２１を備える左右方向に移動可能な表示ユニット１７３が、表示ユニット付勢手段２５０の付勢力に抗して左方向に移動することとなる。また、第１の位置調整部材１３８が傾斜面２１ａの傾斜に沿って表示枠ユニット１７０に近づくように後方向に移動するので、遊技盤１と表示枠ユニット１７０との距離が徐々に近くなる。
【０１４４】
なお、このとき表示ユニット付勢手段２５０においては、表示ユニット１７３が左向きの力を受けるのに伴い、ベース部１９４の左方に突出した押圧部２５５が、圧縮コイルばね２５２の付勢力に抗して取付凹部２５１内に（右方向に）押し込まれる。また、同時に、表示枠ユニット付勢手段（圧縮コイルばね１８２）によって前方向に付勢されている前後移動可能な表示枠ユニット１７０も、表示枠ユニット付勢手段の付勢力に抗して後方向へ押し込まれることとなる。
【０１４５】
そして、第１の被位置調整部２１が上述のように左方向に移動し、第１の被位置調整部２１の傾斜面２１ａが第１の位置調整部材１３８のリブ１３８ｂより左側に移動すると、リブ１３８ｂは第１の被位置調整部２１の右側面２１ｂに当接するようになるとともに、第１の被位置調整部２１の傾斜面２１ａと第１の位置調整部材１３８の傾斜面１３８ａが面接触するようになる。
【０１４６】
ここで、リブ１３８ｂが第１の被位置調整部２１の右側面２１ｂに当接した状態では、第１の被位置調整部２１における傾斜面２１ａの前面側から見た右端と、第１の位置調整部材１３８における傾斜面１３８ａの前面側から見た右端とが対向して接している状態となっている。そして、上述したように、第１の被位置調整部２１における傾斜面２１ａの右端の前後位置は、前面クリアカバー１７９の前面と同じ前後位置であり、第１の位置調整部材１３８における傾斜面１３８ａの右端の前後位置は、センターケース１１の後端部１６（遊技盤１の後端部）と同じ前後位置となっている。
【０１４７】
このため、リブ１３８ｂが第１の被位置調整部２１の右側面２１ｂに当接した状態では、センターケース１１の後端部１６に前面クリアカバー１７９の前面が面接触する状態となり、これ以上遊技盤１と表示枠ユニット１７０の距離が近くなることはない。よって、第１の被位置調整部２１は第１の位置調整部材１３８により押圧されることに基づく左向きの力を受けなくなり、表示ユニット１７３は表示ユニット付勢手段２５０による右方向への付勢力によって右側に戻ろうとする。しかし、リブ１３８ｂが第１の被位置調整部２１の右側面２１ｂに当接することで、表示ユニット１７３の右方向への移動を規制しているため、表示ユニット１７３はこの状態で保持され、左右位置が固定されることとなる。そして、この状態で遊技盤１を完全に開口部に嵌め込めば、その位置で表示ユニット１７３の左右方向への移動および前方向への移動が規制されて略固定された状態となる。この略固定された左右位置および前後位置は、セッティング後の使用時の表示枠ユニット１７０の左右位置および前後位置となる。
【０１４８】
なお、遊技盤１を取り外すことによって、第１の被位置調整部２１の右側面２１ｂからリブ１３８ｂが離れ、表示ユニット１７３の右方向への移動の規制が解除されるので、表示ユニット１７３は左右方向の移動範囲における最も右側の位置に戻ることとなる。これによって、新たに取り付ける遊技盤１のリブ１３８ｂの位置が、取り外された遊技盤１のリブ１３８ｂの位置より右側にあっても、リブ１３８ｂが、表示ユニット１７３が最も右側にあるときに第１の被位置調整部２１の傾斜面２１ａが位置する範囲内にあれば、取付の際に必ずリブ１３８ｂが傾斜面２１ａに当接し、表示ユニット１７３の位置調整が可能となる。
【０１４９】
また、遊技盤１を後方側に回動させる過程において、第２の位置調整部材１３７に当接した第２の被位置調整部２０のローラ２０ｂは、Ｖ字状の溝である誘導ガイド部１３７ａの内部傾斜面に沿って溝の中央部の係合固定部１３７ｂに誘導される。
すなわち、表示枠ユニット１７０の上にほぼ水平に配置された第２の被位置調整部２０のローラ２０ｂは、第２の位置調整部材１３７の断面Ｖ字状の誘導ガイド部１３７ａにより上下方向に案内され、断面半円状の溝である係合固定部１３７ｂ内に円柱状のローラ２０ｂが係合するようになる。なお、ローラ２０ｂは軸受け２０ｄ，２０ｄによって回動可能に軸支されているので、容易に係合固定部１３７ｂに誘導される。
【０１５０】
上述したように、ローラ２０ｂを有する被位置調整部２０は、表示枠ユニット１７０の内部収納空間１８３内で上下左右方向に移動可能に保持された表示ユニット１７３に設けられており、ローラ２０ｂが係合固定部１３７ｂに誘導され係合することで、表示ユニット１７３の上下位置が決められることになる。
【０１５１】
さらに、表示枠ユニット１７０が前方向に付勢されていることから、誘導ガイド部１３７ａとしてのＶ字状の溝の中央部（Ｖ字状の溝の谷底の部分）に形成された係合固定部１３７ｂに係合したローラ２０ｂは、上下方向への移動および前方向への移動が規制されて略固定された状態となる。この略固定された上下位置および前後位置は、セッティング後の使用時の表示枠ユニット１７０の上下位置および前後位置となる。
【０１５２】
なお、第２の位置調整部材１３７の係合固定部１３７ｂがセンターケース１１の後端部１６と略同じ前後位置にあることと、第２の被位置調整部２０のローラ２０ｂの前端部と前面クリアカバー１７９の前面（表示枠ユニット１７０の前面）が略同じ前後位置にあることから、遊技盤１を開口部に嵌め込み、裏機構枠１６０を閉じた状態では、センターケース１１の後端部１６に前面クリアカバー１７９の前面が面接触するとともに、ローラ２０ｂが係合固定部１３７ｂに係合するようになっている。
【０１５３】
以上のように第１の位置調整部材１３８によって第１の被位置調整部２１が、第２の位置調整部材１３７によって第２の被位置調整部２０が保持され、表示ユニット１７３の前後左右上下位置が正確に決められると、センターケース１１の表示用窓部１２から露出する表示ユニット１７３の画像表示面１７１（画像表示領域）の位置が正確に決まることになる。これにより、画像表示面１７１に表示される画像と、表示用窓部１２との位置がずれるようなことがなく、表示用窓部１２から位置ずれのない画像を見ることができる。
【０１５４】
遊技盤１を開口部に嵌め込んだ状態としたら、開口部の前面側から見て右側に設けられた固定部材（図示略）によって遊技盤１を固定する。
また、演出制御装置３３を収納したボックス３３ａは、裏機構枠１６０を閉じた状態とする前に後方に回動させておき、裏機構枠１６０を閉じた状態とした後に演出制御装置配設部１６５に収納されるように前方に回動させる。演出制御装置３３を収納したボックス３３ａを前方に回動させることで、演出制御装置３３のコネクタ部３３ｍと演出データ装置３２のコネクタ部３２ｆが接続されて両者が直接接続されることとなる。さらに、コネクタ部３３ｍの両側に設けられたワンタッチ着脱式の固定部材３３ｄ，３３ｄを、演出データ装置３２に形成された取付穴３２ｉ，３２ｉに押し込むことで、両装置のコネクタ３２ｆ，３３ｍを確実に連結する。また、ボックス３３ａを演出制御装置配設部１６５に収納した状態で、ボックス３３ａに設けられた図示しない操作手段を操作して、ボックス３３ａの開放端側の側面から係合部２６７を突出させ、演出制御装置配設部１６５に形成された固定部材２６５の凹部２６６に係合させることで、ボックス３３ａを演出制御装置配設部１６５に固定する。
【０１５５】
なお、本実施形態の遊技機１００では、裏機構枠１６０を開閉可能としたが、前面枠１２０に遊技盤１を前側から取り付ける構成の場合は、開閉できない裏機構枠１６０であってもよい。
【０１５６】
また、本実施形態の遊技機１００では、前面枠１２０に遊技盤１を前側から取り付ける構成としたが、遊技盤１を前面枠１２０に後側から取り付ける（或いはサイドからスライド挿入する）構成としても良い。この場合は、前面枠１２０に遊技盤１を装着した後に裏機構枠１６０を閉鎖することとなり、この際に表示ユニット１７３の位置調整が行われることとなる。また、本実施形態のように遊技盤１を前側から取り付ける構成であっても、メンテナンス等の場合に裏機構枠１６０を開放した場合は、再び裏機構枠１６０を閉鎖する際に表示ユニット１７３の位置調整が行われることとなる。
このように、前面枠本体１３０に遊技盤１が取り付けられた状態で裏機構枠１６０を開放した状態から閉鎖した状態とする場合では、表示枠ユニット１７０や表示ユニットに設けられた被位置調整部２０，２１が前方に移動するように動作することとなるが、遊技盤１と裏機構枠１６０は、相対的に上述の場合と略同じ動作をすることとなり、上述と同様に表示ユニット１７３の位置調整がなされる。
【０１５７】
すなわち、遊技盤１を前面枠１２０に取り付けることにより、遊技盤１の裏面が裏機構枠１６０に備えられた表示ユニット１７３の前面に臨む状態となる場合や、前面枠１２０に取り付けられた遊技盤１の裏面側を開放した状態から閉鎖した状態にする場合のように、表示ユニット１７３が遊技盤１の後方に位置づけられる際に、表示ユニット１７３の位置調整がなされる。そして、表示ユニット１７３の画像表示面１７１が表示用窓部１２に対して適正な位置に配されることとなる。
【０１５８】
また、本実施形態の遊技機１００では、表示ユニット１７３が左右方向および上下方向に移動可能な構成としたが、左右方向または上下方向の一方向のみに移動可能な構成としても良い。すなわち、遊技盤１の裏面にはセンターケース１１の左側（上側）にのみ位置調整部材１３８を設け、また、表示ユニット１７３には左側（上側）にのみ被位置調整部２１を設けるようにすることで、表示ユニット１７３を左右（上下）方向のみに移動可能とする構成としても良い。また、このように、表示ユニット１７３を左右（上下）方向のみに移動可能とする構成とした場合に、例えば、表示ユニット１７３の内部収納空間１８３内での上下（左右）方向の移動を規制するガイドを設けたり、内部収納空間１８３の上下（左右）幅を表示ユニット１７３の上下（左右）幅と略同じ幅にしたりすることにより、表示ユニット１７３が確実に左右（上下）方向のみに移動するようにしても良い。
【０１５９】
また、本実施形態の遊技機１００では、表示ユニット１７３を右方向に付勢し、第１の位置調整部材１３８、第１の被位置調整部２１により、表示ユニット１７３を付勢力に抗して左方向に移動させることで位置調整するとしたが、左右を逆にしても良い。すなわち、表示ユニット１７３を左方向に付勢し、第１の位置調整部材１３８、第１の被位置調整部２１における傾斜面１３８ａ，２１ａの傾斜方向を逆に（前面側から見て左側の端部が対向する側の端部より後側に位置するような傾斜方向）して、表示ユニット１７３を付勢力に抗して右方向に移動することで位置調整をするようにしても良い。
【０１６０】
ここで、画像表示面１７１の面積が大きい表示枠ユニット２７０について図５を参照して説明する。なお、基本的には上述した標準サイズの画像表示面１７１を有する表示枠ユニット１７０と同様の構成を有しており、以下、異なる部分を中心に説明する。また、説明を簡単にするため、標準サイズの画像表示面１７１を有する表示枠ユニット１７０と同じ機能を有する部分には同じ符号を付している。
【０１６１】
この表示枠ユニット２７０は、画像表示面１７１の大きさが上述の表示枠ユニット１７０に比べて大きく、より広範囲に画像を表示できるようになっている。このように画像表示面１７１を大きくするために、標準サイズの画像表示面１７１を有する表示枠ユニット１７０に比べ、その前面側から見て上側、下側、右側に内部収納空間１８３が拡大している。そして、拡大された内部収納空間１８３内に、内部収納空間１８３と略同じ大きさの表示ユニット１７３（図示略）が収納され、その前面側が前面クリアカバー１７９によって覆われている。よって、この表示枠ユニット１７０においては、前面クリアカバー１７９で覆われた部分の略全面で画像を表示可能となっている。
【０１６２】
また、この表示枠ユニット２７０においては、表示ユニット１７３が内部収納空間１８３の大きさと略同じ大きさであるため、表示ユニット１７３が内部収納空間１８３内で上下左右方向に移動しないものとされている。このため、上述の表示ユニット１７３に設けられていた、表示ユニット１７３の上下左右位置を調節するための被位置調整部２０，２１は設けられていない。また、これに伴い、この表示枠ユニット２７０を用いる場合は、遊技盤１の裏面側に位置調整部材１３７，１３８を設ける必要はない。
【０１６３】
また、スライド部１６９と被スライド部１８からなるスライド手段２７１において、表示枠ユニット２７０の外側面に設けられている被スライド部１８，１８，…のうち、前面側から見て右上にある被スライド部１８を除いた３つの被スライド部１８，１８，１８は、上述の表示枠ユニット１７０における被スライド部１８，１８，１８と形状は異なるが、互いの上下左右の間隔は同じである。よって、これらの被スライド部１８，１８，１８は、上述の表示枠ユニット１７０の被スライド部１８，１８，１８が案内されていたスライド部１６９，１６９，１６９によって案内されることとなる。
【０１６４】
これに対し、前面側から見て右上にある被スライド部１８は、上述の表示枠ユニット１７０に比べ、上側の位置に形成されており、この被スライド部１８は、図５に示すように表示枠ユニット収納部１６８の前面側から見て右上部の側面であって、上述の表示枠ユニット１７０の被スライド部１８が案内されていたスライド部１６９の上側に形成された、別のスライド部１６９ｂによって案内されるようになっている。これによって、この表示枠ユニット２７０も表示枠ユニット収納部１６８内で前後移動可能に、さらに、付勢手段をなす圧縮コイルばね１８２によって前方側に付勢された状態で配される。
【０１６５】
以上のことから、スライド手段２７１は、裏機構枠１６０の収納空間（表示枠ユニット収納部１６８）の側壁に形成されたスライド部１６９，１６９ｂと、表示ユニット１７３の側部（表示枠ユニット１７０の側部）に形成された被スライド部１８とにより構成され、裏機構枠１６０は、表示部（画像表示面１７１）の面積が異なる複数種の表示ユニット１７３（表示枠ユニット１７０，２７０）を収納可能に構成されて、該複数種の表示ユニット１７３に対応してスライド部１６９，１６９ｂを複数形成したこととなる。
【０１６６】
以上のように、画像表示面１７１の大きい表示枠ユニット２７０に交換可能であることで、遊技盤１に形成された表示用窓部１２の形状が極めて大きく変化した場合でも対応できる。
なお、内部収納空間１８３を前面側から見て右側および下側のみに拡大するとともに、その分だけ表示ユニット１７３を拡大し、被位置調整部２０，２１による表示ユニット１７３の位置調整機能を残すようにしても良い。
【０１６７】
次に、裏面構成部材４０の変形例について、図１４を参照して説明する。
ここでの裏面構成部材４０は、上述のように遊技盤下部に設けられた大入賞口や普通変動入賞装置などの裏面側に位置する下部裏面構成部４１に加え、センターケース１１の裏面側を覆う上部裏面構成部４２が一体的に形成された構成を有し、ここに第１の位置調整部材１３８、第２の位置調整部材１３７が一体的に設けられている。
【０１６８】
上部裏面構成部４２は、前側が開口した略矩形箱状であって、センターケース１１を裏面側から覆うように遊技盤１の裏面に取り付けられる。この上部裏面構成部４２の背面であって、センターケース１１に形成された表示用窓部１２に対応する部分には開口４３が形成されており、ここから表示用窓部１２が裏面側に臨むようになっている。なお、上部裏面構成部４２の裏面の前後位置は、センターケース１１の後端部１６よりも前側であって、上述の開口４３からセンターケース１１の後端部１６が後方に突出した状態となっている。
【０１６９】
そして、この上部裏面構成部４２の前面側から見て上側（左側）に、第２の位置調整部材１３７（第１の位置調整部材１３８）が一体的に設けられている。
上部裏面構成部４２の上側（左側）の外側面の前端であって左右（上下）方向の略中央部には、矩形板状のベース部４４（左側は図示略）が上部裏面構成部４２の前面と平行に形成されており、このベース部４４に対して垂直に後方へ延出するように第２の位置調整部材１３７（第１の位置調整部材１３８）が形成されている。また、第２の位置調整部材１３７（第１の位置調整部材１３８）の上部裏面構成部４２の外側面と対向する部分は、その一部が上部裏面構成部４２の外側面と接続している。
【０１７０】
さらに、上部裏面構成部４２の背面の前面側には、センターケース１１との位置合わせ用のボス４５が前方に突出するように形成されており、このボス４５によって裏面構成部材４０がセンターケース１１に対して適切な位置に配されるようになっている。また、裏面構成部材４０の遊技盤本体１０の裏面に接する部分には、裏面構成部材４０を遊技盤本体１０に固定するためのねじ孔４９が形成されている。
【０１７１】
この他に、上部裏面構成部４２（裏面構成部材４０）は所要機能を有しており、例えば、センターケース１１に接続された配線を裏面側に通すための配線用開口４６を備えることによる配線処理機能や、中継基板４７を配設する中継基板の配設機能、入賞口に入賞した遊技球を流下させる入賞球流路４８を備えることによる入賞球誘導機能、遊技盤装飾装置５４としてのランプ・ＬＥＤを備えることによる電気的発光機器の配設機能を有している。
【０１７２】
また、裏面構成部材４０の下部をなす下部裏面構成部４１は、大入賞口や普通変動入賞装置などに入賞した遊技球を流下させる入賞球流路を備えている。さらに、下部裏面構成部４１は、裏面側に演出データ装置３２を取り付けるためのボス等が形成されている。なお、下部裏面構成部４１の構成は、上述した裏面構成部材４０と略同じである。
【０１７３】
このように、第１の位置調整部材１３８、第２の位置調整部材１３７を裏面構成部材４０と一体的に設けたことで、第１の位置調整部材１３８、第２の位置調整部材１３７の取り付け位置の誤差を少なくすることができ、より正確に表示ユニット１７３の位置合わせを行うことができるようになる。
【０１７４】
なお、第１の位置調整部材１３８、第２の位置調整部材１３７は必ずしも裏面構成部材４０と一体的に成型されていなくても良く、裏面構成部材４０にねじなどによって固定されていても良い。
また、第１の位置調整部材１３８、第２の位置調整部材１３７、第１の被位置調整部２１、第２の被位置調整部２０の構成は、以上の実施形態に示した構成に限られるものではない。例えば、位置調整部材を後方側に突出形成された棒状部材で構成するとともに、被位置調整部を該棒状部材が挿入可能な開口凹部としてもよい。この場合には、開口凹部は、奥側が狭く開口側が広くなっている形状が望ましい。また、位置調整部材をセンターケース１１に一体的に設けても良い。なお、センターケース１１は遊技盤１の前方から挿入されて取り付けられるので、位置調整部材はセンターケース１１の後端部に設けることが望ましい。
【０１７５】
以上のような遊技機１００は、遊技領域を形成する遊技盤１を前面枠１２０に対して着脱可能に配設し、該遊技盤１に形成された表示用窓部１２において遊技に関わる表示ゲームを表示するようにした遊技機１００であって、前面枠１２０の裏面側に、表示ゲームを表示する表示ユニット１７３を遊技盤１の後方位置に配設するための裏機構枠１６０を設け、裏機構枠１６０は、表示ユニット１７３を収納する収納部（表示枠ユニット収納部１６８）を形成するように後方側に膨出状に構成され、収納部の上部に、島設備から供給される遊技球を貯留する貯留タンク２２０と、該貯留タンク２２０の遊技球を一個宛排出可能な排出装置２０１と、を一体的に備えたタンク排出装置２００を配設し、収納部の左右方向一側部に、排出装置２０１から排出された遊技球を下方に流下させる遊技球流路（シュート２４０）を配設している。
【０１７６】
したがって、前面枠１２０の裏面側に、表示ゲームを表示する表示ユニット１７３を遊技盤１の後方位置に配設するための裏機構枠１６０を設けたので、表示ユニット１７３が遊技盤１ではなく前面枠１２０側に設けられることとなり、遊技盤１を交換する場合でも、表示ユニット１７３は交換する必要がないので、表示ユニット１７３を新たな遊技盤１でも使用できるといった効果を奏する。また、遊技機１００の入れ替え時に遊技機全体を交換する場合でも、表示ユニット１７３は遊技盤１と別構成であるので、表示ユニット１７３を簡単に取り外せることから、表示ユニット１７３を再利用する際にも効果的である。
【０１７７】
また、裏機構枠１６０は、表示ユニット１７３を収納する収納部を有し、その上部に、島設備から供給される遊技球を貯留する貯留タンク２２０と、該貯留タンク２２０の遊技球を排出する排出装置２０１と、を一体的に備えたタンク排出装置２００を配設し、収納部の左右方向一側部に、排出装置２０１からの遊技球を下方に流下させる遊技球流路を配設したので、貯留タンク２２０、排出装置２０１、遊技球流路とともに表示ユニット１７３を前面枠１２０の裏面に効率よく配設することができ、表示ユニット１７３が大型化した場合でも前面枠１２０裏面の配置スペース的な問題を解消することができる。
特に、排出装置２０１を貯留タンク２２０に一体化することで、排出装置２０１（従来は一側部に配設していたもの）を裏機構枠１６０の上部に配設することが可能となり、裏機構枠１６０の一側部には遊技球流路分の幅のみ確保できればよいので、その分表示ユニット１７３の配置領域を確保することができる。
【０１７８】
また、収納部（表示枠ユニット収納部１６８）には、遊技盤１の後方突出量に応じて、表示ユニット１７３を前後にスライド可能なスライド手段２７１を備えている。
【０１７９】
したがって、収納部には、遊技盤１の後方突出量に応じて、表示ユニット１７３を前後にスライド可能なスライド手段２７１を備えたので、交換する遊技盤１の種類により、遊技盤１の後方突出量は様々に変化することとなるが、その突出量に応じて表示ユニット１７３が前後動することとなるため、遊技盤１の交換時に何ら問題なく遊技盤１を装着できるし、遊技盤１の後方適正位置に表示ユニット１７３を配置することができる。
【０１８０】
また、スライド手段２７１は、裏機構枠１６０の収納空間（表示枠ユニット収納部１６８）の側壁に形成されたスライド部１６９，１６９ｂと、表示ユニット１７３の側部に形成された被スライド部１８とにより構成され、裏機構枠１６０は、表示部（画像表示面１７１）の面積が異なる複数種の表示ユニット１７３（表示枠ユニット１７０，２７０）を収納可能に構成されて、該複数種の表示ユニット１７３に対応してスライド部１６９，１６９ｂを複数形成している。
【０１８１】
したがって、スライド手段２７１は、裏機構枠１６０の収納空間の側壁に形成されたスライド部１６９，１６９ｂと、表示ユニット１７３の側部に形成された被スライド部１８とにより構成され、裏機構枠１６０は、表示部の面積が異なる複数種の表示ユニット１７３を収納可能に構成されて、該複数種の表示ユニット１７３に対応してスライド部１６９，１６９ｂを複数形成したので、用いる遊技盤１の表示領域に合わせて表示部の大きさが異なる表示ユニット１７３に交換できる。また、裏機構枠１６０の側部には遊技球流路（シュート２４０）しか形成されていないので、表示部の面積が大きい（特に左右方向の寸法が大きい）表示ユニット１７３に交換することができる。さらに、表示部の大きさが異なる表示ユニット１７３に交換しても、対応するスライド部１６９，１６９ｂが形成されているので前後にスライドさせることができる。
【０１８２】
また、裏機構枠１６０における収納部（表示枠ユニット収納部１６８）の後面を形成する背面壁２６３は所定の厚さを有して構成され、背面壁２６３の裏面側の所要部位には、表示ユニット１７３を制御する表示制御装置（演出制御装置３３）を収納する制御装置収納部（演出制御装置配設部１６５）を前方側に窪ませて形成する一方、該背面壁２６３の前面側における該制御装置収納部とは前後に重ならない部位には、表示ユニット１７３を前方側に付勢する付勢部材（圧縮コイルばね１８２）を収納する付勢部材収納部１８１を形成している。
【０１８３】
したがって、裏機構枠１６０における収納部の後面を形成する背面壁２６３の裏面側の所要部位には、表示ユニット１７３を制御する表示制御装置を収納する制御装置収納部を前方側に窪ませて形成する一方、該背面壁２６３の前面側における該制御装置収納部とは前後に重ならない部位には、表示ユニット１７３を前方側に付勢する付勢部材を収納する付勢部材収納部１８１を形成したので、裏機構枠１６０の背面壁２６３を利用して、制御装置や付勢部材を効率よく収納することができる。
【０１８４】
また、遊技盤裏面側下方部には、表示ユニット１７３で表示される画像データを記憶した記憶手段（キャラクタＲＯＭ３２ｂ）を搭載するとともに遊技盤固有の表示データ装置（演出データ装置３２）が配設され、裏機構枠１６０は、遊技盤裏面における表示データ装置が配設される部位を除く該遊技盤裏面側上方部を覆うように配設されるとともに、下部背面側に表示ユニット１７３を制御するとともに複数の遊技盤１で共通使用可能な表示制御装置（演出制御装置３３）を設け、表示制御装置は、コネクタ部３３ｍを裏機構枠１６０の下縁から下方に突出して設けることで、表示データ装置のコネクタ部３２ｆと接続可能に構成されている。
【０１８５】
したがって、遊技盤裏面側下方部には、表示ユニット１７３で表示される画像データを記憶した記憶手段を搭載するとともに遊技盤固有の表示データ装置が配設され、裏機構枠１６０には、表示ユニット１７３を制御するとともに複数の遊技盤で共通使用可能な表示制御装置を設け、表示制御装置は、表示データ装置のコネクタ部３２ｆと接続可能に構成されているので、遊技盤１を交換する場合でも、表示ユニット１７３と同様に表示制御装置も新たな遊技盤１に対して共通使用可能となり効率がよい。
また、遊技機固有の画像データを記憶した表示データ装置を遊技盤１に配設したことで、遊技盤１の交換と共に簡単にデータの交換も行えるので、作業効率が向上する。
さらに、裏機構枠１６０は、遊技盤裏面における表示データ装置が配設される部位を除く該遊技盤裏面側上方部を覆うように配設されるとともに、表示制御装置は、コネクタ部３３ｍを裏機構枠１６０の下縁から下方に突出して設けることで、表示データ装置のコネクタ部３２ｆと接続可能に構成されているので、表示制御装置と表示データ装置との接続も簡単に行うことが可能となり、作業効率が向上する。
【０１８６】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０１８７】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１８８】
【図１】本発明を適用した実施形態にかかる遊技機の裏面側を示す斜視図である。
【図２】図１の状態から裏機構枠を開放した前面枠の裏面側を示す斜視図である。
【図３】遊技盤の裏面側を示す斜視図である。
【図４】裏機構枠の前面側を示す斜視図である。
【図５】裏機構枠と画像表示面の面積の異なる２種類の表示ユニットの前面側を示す斜視図である。
【図６】裏機構枠の裏面側を示す斜視図である。
【図７】裏機構枠の裏面側を示す分解斜視図である。
【図８】裏機構枠の前面側を示す分解斜視図である。
【図９】表示枠ユニットの前面側を示す斜視図である。
【図１０】表示枠ユニットの裏面側を示す斜視図である。
【図１１】表示枠ユニットの前面側を示す図であって、前面クリアカバーを外した状態を示す斜視図である。
【図１２】表示枠ユニットの前面側を示す分解斜視図である。
【図１３】遊技機の制御系の一部を示すブロック図である。
【図１４】裏面構成部材の変形例を示す斜視図である。
【符号の説明】
【０１８９】
１        遊技盤
１１      センターケース
１２      表示用窓部
１６      後端部
１８      被スライド部
３２      演出データ装置（表示データ装置）
３２ｂ    キャラクタＲＯＭ（記憶手段）
３２ｆ    コネクタ部
３３      演出制御装置（表示制御装置）
３３ｍ    コネクタ部
４０      裏面構成部材
１００    遊技機
１１０    機枠
１２０    前面枠
１３０    前面枠本体
１６０    裏機構枠
１６１    本体部
１６２    ガイド部
１６５    演出制御装置配設部（制御装置収納部）
１６８    表示枠ユニット収納部（収納部）
１６９    スライド部
１６９ｂ  スライド部
１７０    表示枠ユニット
１７１    画像表示面（表示部）
１７３    表示ユニット
１８１    付勢部材収納部
１８２    圧縮コイルばね（付勢部材）
１８３    内部収納空間
２００    タンク排出装置
２０１    排出装置
２２０    貯留タンク
２４０    シュート（遊技球流路）
２６３    背面壁
２７０    表示枠ユニット
２７１    スライド手段
【図１】
2007020994.tif 000003
【図２】
2007020994.tif 000004
【図３】
2007020994.tif 000005
【図４】
2007020994.tif 000006
【図５】
2007020994.tif 000007
【図６】
2007020994.tif 000008
【図７】
2007020994.tif 000009
【図８】
2007020994.tif 000010
【図９】
2007020994.tif 000011
【図１０】
2007020994.tif 000012
【図１１】
2007020994.tif 000013
【図１２】
2007020994.tif 000014
【図１３】
2007020994.tif 000015
【図１４】
2007020994.tif 000016